(57)【要約】【課題】本発明は、表示領域内に色材を均一に分散させて表示特性の向上を図り、かつ製造工程を簡略化できる表示装置及びその駆動方法を提供することを目的とする。【解決手段】電気泳動表示装置１は、赤色電気泳動粒子１０Ｒと、緑色電気泳動粒子１０Ｇと、赤色電気泳動粒子１０Ｒを保持する赤色粒子保持領域６Ｒと、緑色電気泳動粒子１０Ｇを保持する緑色粒子保持領域６Ｇと、赤色粒子保持領域６Ｒ及び緑色粒子保持領域６Ｇとを備えた画素６と、画素６の両側に設けられ、赤色電気泳動粒子１０Ｒを集積する赤色粒子集積電極１４及び緑色電気泳動粒子１０Ｇを集積する緑色粒子集積電極２２と、画素６の両側の少なくとも一方に隣接して設けられ、緑色粒子保持領域６Ｇに対して画素６と対称構造を備えた画素３２とを有している。【選択図】図１
2013142722.tif 000002
【特許請求の範囲】
【請求項１】
画素内に第１の色の第１色材を集積し、
前記画素内に方向の反転する電界を発生させて前記第１色材を前記画素内で拡散すること
を特徴とする表示装置の駆動方法。
【請求項２】
請求項１記載の表示装置の駆動方法であって、
前記画素内の所定領域に極性の反転する電圧パルスを印加して前記電界を発生させること
を特徴とする表示装置の駆動方法。
【請求項３】
請求項１又は２に記載の表示装置の駆動方法であって、
前記電圧パルスのピーク電圧の絶対値は、極性反転する度に減衰すること
を特徴とする表示装置の駆動方法。
【請求項４】
請求項３記載の表示装置の駆動方法であって、
前記電圧パルスの電圧波形は、正極性では逆のこぎり波であり、負極性ではのこぎり波であること
を特徴とする表示装置の駆動方法。
【請求項５】
請求項４記載の表示装置の駆動方法であって、
前記電圧パルスは、前記正極性側及び前記負極性側のそれぞれにおいて線形的に減衰すること
を特徴とする表示装置の駆動方法。
【請求項６】
請求項１から５までのいずれか一項に記載の表示装置の駆動方法であって、
前記所定の領域は、前記画素内に形成された電極であること
を特徴とする表示装置の駆動方法。
【請求項７】
請求項１から６までのいずれか一項に記載の表示装置の駆動方法であって、
前記第１色材を前記画素内で拡散する前に、
前記画素内に第１の電界を発生させて、前記第１色材と、前記第１の色とは異なる色の第２の色の第２色材とを集積する色材集積工程と、
前記画素内に第２の電界を発生させて、前記第１色材及び前記第２色材を前記画素内にそれぞれ分散する色材分散工程と、
前記画素内に第３の電界を発生させて、前記第１色材及び前記第２色材を前記画素内の異なる領域に分離する色材分離工程と、
前記画素内に第４の電界を発生させて、前記第１色材及び前記第２色材を前記異なる領域に保持する色材保持工程と
を実行すること
を特徴とする表示装置の駆動方法。
【請求項８】
請求項７記載の表示装置の駆動方法であって、
前記第１色材及び前記第２色材は、電気泳動粒子であること
を特徴とする表示装置の駆動方法。
【請求項９】
第１の色の第１色材と、
前記第１の色とは異なる色の第２の色の第２色材と、
前記第１色材を保持する第１色材保持領域と、
前記第２色材を保持する第２色材保持領域と、
前記第１色材保持領域と前記第２色材保持領域とを備えた第１画素と、
前記第１画素の両側に設けられ、前記第１色材及び前記第２色材を集積する色材集積部と、
前記第１画素の前記両側の少なくとも一方に隣接して設けられ、前記色材集積部に対して前記第１画素と対称構造を備えた第２画素と
を有することを特徴とする表示装置。
【請求項１０】
請求項９記載の表示装置であって、
前記第１及び第２色材保持領域の少なくとも一方は、前記第１及び第２色材の一方を保持するとともに拡散する色材保持拡散部を有すること
を特徴とする表示装置。
【請求項１１】
請求項９又は１０に記載の表示装置であって、
前記第１及び第２の色とは異なる色の第３の色の第３色材と、
前記第３色材を保持する第３色材保持領域と
をさらに有し、
前記第１画素は、前記第１色材保持領域と前記第２色材保持領域との間に前記第３色材保持領域を備えていること
を特徴とする表示装置。
【請求項１２】
請求項１１記載の表示装置であって、
前記第３色材保持領域は、前記第３色材を保持するとともに拡散する色材保持拡散部を有すること
を特徴とする表示装置。
【請求項１３】
請求項１１又は１２に記載の表示装置であって、
前記第１の色は赤色であり、
前記第２の色は緑色であり、
前記第３の色は青色であること
を特徴とする表示装置。
【請求項１４】
請求項９から１３までのいずれか一項に記載の表示装置であって、
前記色材は、電気泳動粒子であること
を特徴とする表示装置。
【請求項１５】
請求項１１又は１２に記載の表示装置であって、
前記第１から第３の色とは異なる色の第４の色の第４色材と、
前記第４色材を保持する第４色材保持領域と
をさらに有し、
前記第１画素は、前記第２色材保持領域と前記第３色材保持領域との間に前記第４色材保持領域を備えていること
を特徴とする表示装置。
【発明の詳細な説明】
【技術分野】
【０００１】
本発明は、電子機器の表示部等に用いられる表示装置及びその駆動方法に関する。
【背景技術】
【０００２】
液体中に微粒子を分散させた分散系に電界を作用させると、微粒子はクーロン力により液体中で移動（泳動）することが知られている。この現象は電気泳動と呼ばれている。近年、この電気泳動を利用して、所望の情報（画像）を表示する電気泳動表示装置が新たな表示装置として注目を集めている。電気泳動表示装置は、電圧の印加を停止した状態でも表示内容を維持する表示メモリー性を備えている。このため、電気泳動表示装置は低消費電力化を図ることができる。また、電気泳動表示装置は、一般の印刷物のように反射光を利用して画像を表示する。このため、電気泳動表示装置は、広視野角性を有し、高コントラストの表示が可能であるという特徴を備えている。
【先行技術文献】
【特許文献】
【０００３】
【特許文献１】特表２００９−５４３１５４号公報
【特許文献２】特開２００８−１１６５１２号公報
【発明の概要】
【発明が解決しようとする課題】
【０００４】
しかしながら、電気泳動表示装置は、電気泳動粒子を表示領域に亘って均一に分散させることが困難であるという問題を有している。また、電気泳動表示装置は、赤色（Ｒ）、緑色（Ｇ）及び青色（Ｂ）で構成される１画素内に存在する各色の電気泳動粒子が隣の画素と混在しないように、隣接画素間に隔壁を有し、独立に各画素を制御するようになっている。各画素には、電気泳動粒子の電気泳動移動度差を利用したり、１画素内をＲＧＢの各領域に分割する隔壁（リブ）をさらに形成したりして、独立したサブ画素（赤色画素、緑色画素及び青色画素）の領域が形成されている。電気泳動粒子の電気泳動移動度差を利用して独立したサブ画素の領域を形成するのは困難である。これらの独立した各サブ画素の領域は、着色状態及び消色状態を任意に切り替えられる。しかしながら、リブを有する電気泳動表示装置は、隔壁を形成する必要があるので製造工程が複雑になるという問題を有している。
【０００５】
本発明の目的は、表示領域内に色材を均一に分散させて表示特性の向上を図り、かつ製造工程を簡略化できる表示装置及びその駆動方法を提供することにある。
【課題を解決するための手段】
【０００６】
上記目的は、画素内に第１の色の第１色材を集積し、前記画素内に方向の反転する電界を発生させて前記第１色材を前記画素内で拡散することを特徴とする表示装置の駆動方法によって達成される。
【０００７】
上記本発明の表示装置の駆動方法であって、前記画素内の所定領域に極性の反転する電圧パルスを印加して前記電界を発生させることを特徴とする。
【０００８】
上記本発明の表示装置の駆動方法であって、前記電圧パルスのピーク電圧の絶対値は、極性反転する度に減衰することを特徴とする。
【０００９】
上記本発明の表示装置の駆動方法であって、前記電圧パルスの電圧波形は、正極性では逆のこぎり波であり、負極性ではのこぎり波であることを特徴とする。
【００１０】
上記本発明の表示装置の駆動方法であって、前記電圧パルスは、前記正極性側及び前記負極性側のそれぞれにおいて線形的に減衰することを特徴とする。
【００１１】
上記本発明の表示装置の駆動方法であって、前記所定の領域は、前記画素内に形成された電極であることを特徴とする。
【００１２】
上記本発明の表示装置の駆動方法であって、前記第１色材を前記画素内で拡散する前に、前記画素内に第１の電界を発生させて、前記第１色材と、前記第１の色とは異なる色の第２の色の第２色材とを集積する色材集積工程と、前記画素内に第２の電界を発生させて、前記第１色材及び前記第２色材を前記画素内にそれぞれ分散する色材分散工程と、前記画素内に第３の電界を発生させて、前記第１色材及び前記第２色材を前記画素内の異なる領域に分離する色材分離工程と、前記画素内に第４の電界を発生させて、前記第１色材及び前記第２色材を前記異なる領域に保持する色材保持工程とを実行することを特徴とする。
【００１３】
上記本発明の表示装置の駆動方法であって、前記第１色材及び前記第２色材は、電気泳動粒子であることを特徴とする。
【００１４】
上記目的は、第１の色の第１色材と、前記第１の色とは異なる色の第２の色の第２色材と、前記第１色材を保持する第１色材保持領域と、前記第２色材を保持する第２色材保持領域と、前記第１色材保持領域と前記第２色材保持領域とを備えた第１画素と、前記第１画素の両側に設けられ、前記第１色材及び前記第２色材を集積する色材集積部と、前記第１画素の前記両側の少なくとも一方に隣接して設けられ、前記色材集積部に対して前記第１画素と対称構造を備えた第２画素とを有することを特徴とする表示装置によって達成される。
【００１５】
上記本発明の表示装置であって、前記第１及び第２色材保持領域の少なくとも一方は、前記第１及び第２色材の一方を保持するとともに拡散する色材保持拡散部を有することを特徴とする。
【００１６】
上記本発明の表示装置であって、前記第１及び第２の色とは異なる色の第３の色の第３色材と、前記第３色材を保持する第３色材保持領域とをさらに有し、前記第１画素は、前記第１色材保持領域と前記第２色材保持領域との間に前記第３色材保持領域を備えていることを特徴とする。
【００１７】
上記本発明の表示装置であって、前記第３色材保持領域は、前記第３色材を保持するとともに拡散する色材保持拡散部を有することを特徴とする。
【００１８】
上記本発明の表示装置であって、前記第１の色は赤色であり、前記第２の色は緑色であり、前記第３の色は青色であることを特徴とする。
【００１９】
上記本発明の表示装置であって、前記色材は、電気泳動粒子であることを特徴とする。
【００２０】
上記本発明の表示装置であって、前記第１から第３の色とは異なる色の第４の色の第４色材と、前記第４色材を保持する第４色材保持領域とをさらに有し、前記第１画素は、前記第２色材保持領域と前記第３色材保持領域との間に前記第４色材保持領域を備えていることを特徴とする。
【発明の効果】
【００２１】
本発明によれば、表示領域内に色材を均一に分散させて表示特性を向上させ、かつ製造工程の簡略化を図ることが可能な表示装置を実現できる。
【図面の簡単な説明】
【００２２】
【図１】本発明の第１の実施の形態による電気泳動表示装置１の概略構成を示す断面図である。
【図２】本発明の第１の実施の形態による電気泳動表示装置１の駆動方法を説明する図であって、表示画面を白色表示にする際の動作を示すタイミングチャートである。
【図３】本発明の第１の実施の形態による電気泳動表示装置１の駆動方法の電気泳動粒子集積工程を説明する図である。
【図４】本発明の第１の実施の形態による電気泳動表示装置１の駆動方法の電気泳動粒子分散工程を説明する図である。
【図５】本発明の第１の実施の形態による電気泳動表示装置１の駆動方法の電気泳動粒子分離工程を説明する図である。
【図６】本発明の第１の実施の形態による電気泳動表示装置１の駆動方法の電気泳動粒子保持工程を説明する図である。
【図７】本発明の第１の実施の形態による電気泳動表示装置１の駆動方法の電気泳動粒子拡散工程を説明する図（その１）である。
【図８】本発明の第１の実施の形態による電気泳動表示装置１の駆動方法の電気泳動粒子拡散工程において電極に印加される電圧パルス波形を示す図である。
【図９】本発明の第１の実施の形態による電気泳動表示装置１の駆動方法の電気泳動粒子拡散工程を説明する図（その２）である。
【図１０】本発明の第１の実施の形態による電気泳動表示装置１の駆動方法の電気泳動粒子拡散工程を説明する図（その３）である。
【図１１】本発明の第１の実施の形態による電気泳動表示装置１の駆動方法の電気泳動粒子拡散工程を説明する図（その４）である。
【図１２】本発明の第１の実施の形態による電気泳動表示装置１の駆動方法の電気泳動粒子拡散工程を説明する図（その５）である。
【図１３】本発明の第１の実施の形態による電気泳動表示装置１の駆動方法の電気泳動粒子拡散工程を説明する図（その６）である。
【図１４】本発明の第１の実施の形態による電気泳動表示装置１の駆動方法であって、表示画面を白色表示から赤色表示に変更する動作を説明する図である。
【図１５】本発明の第１の実施の形態による電気泳動表示装置１の駆動方法であって、表示画面を白色表示から緑色表示に変更する動作を説明する図である。
【図１６】本発明の第１の実施の形態による電気泳動表示装置１の駆動方法であって、表示画面を白色表示から青色表示に変更する動作例を説明する図である。
【図１７】本発明の第１の実施の形態による電気泳動表示装置１の駆動方法であって、同一色の表示領域を異なる表示状態とする動作例を説明する図である。
【図１８】本発明の第１の実施の形態による電気泳動表示装置１の画素配列を説明する図である。
【図１９】本発明の第１の実施の形態による電気泳動表示装置１の画素配列の変形例を説明する図である。
【図２０】本発明の第１の実施の形態の変形例による電気泳動表示装置３を説明する図である。
【図２１】本発明の第２の実施の形態による電気泳動表示装置５の概略構成を示す断面図である。
【図２２】本発明の第２の実施の形態による電気泳動表示装置５の駆動方法の電気泳動粒子集積工程を説明する図である。
【図２３】本発明の第２の実施の形態による電気泳動表示装置５の駆動方法の電気泳動粒子分散工程を説明する図である。
【図２４】本発明の第２の実施の形態による電気泳動表示装置５の駆動方法の電気泳動粒子分離工程を説明する図である。
【図２５】本発明の第２の実施の形態による電気泳動表示装置５の駆動方法の電気泳動粒子保持工程を説明する図である。
【図２６】本発明の第２の実施の形態による電気泳動表示装置５の駆動方法の電気泳動粒子拡散工程を説明する図である。
【図２７】本発明の第３の実施の形態による電気泳動表示装置５１の概略構成を示す断面図である。
【図２８】本発明の第３の実施の形態による電気泳動表示装置５１の駆動方法を説明する図である。
【発明を実施するための形態】
【００２３】
〔第１の実施の形態〕
本発明の第１の実施の形態による表示装置及びその駆動方法について、図１乃至図２０を用いて説明する。本実施の形態では、電気泳動を利用して所望の情報（画像）を表示する電気泳動表示装置１を例にとって説明する。図１は、本実施の形態による電気泳動表示装置１の概略構成を示す断面図である。図１は、表示領域内にマトリクス状に配置された複数の画素のうちの１列に並ぶ２個の画素の断面構成を模式的に示している。図１に示すように、電気泳動表示装置１は、所定の間隔を設けた対向配置された一対の基板２、４を有している。基板２、４は、透明絶縁性材料で形成されている。例えば基板２、４は、アクリル系樹脂で形成されている。基板２、４は、基板端部近傍の周囲に形成された封止壁１２で貼り合わされている。電気泳動表示装置１は基板２側が表示画面となる。しかし、基板２又は基板４両側からの表示が可能であり、表示画面は基板２側に限定はしない。
【００２４】
基板２、４間には、複数の赤色電気泳動粒子（第１の色の第１色材）１０Ｒと、複数の緑色電気泳動粒子（第２の色の第２色材）１０Ｇと、複数の青色電気泳動粒子（第３の色の第３色材）１０Ｂと、各電気泳動粒１０Ｒ、１０Ｇ、１０Ｂを分散させる液相分散媒８とが封止されている。電気泳動表示装置１は、基板２、４間に封止された複数（本例では３つ）の異なる色の電気泳動粒子を有している。各電気泳動粒子１０Ｒ、１０Ｇ、１０Ｂには、例えば顔料粒子、樹脂粒子又はこれらの複合粒子のうちの少なくとも１種類が使用されている。例えば、各電気泳動粒子１０Ｒ、１０Ｇ、１０Ｂに顔料粒子が用いられる場合には、電気泳動粒子１０Ｒに対しては、「モノアゾ、ジスアゾ、ポリアゾ等のアゾ系顔料、又はキナクリドンレッド、クロムバーミリオン等」、電気泳動粒子１０Ｇに対しては「フタロシアニングリーン等」、電気泳動粒子１０Ｂに対しては「フタロシアニンブルー、インダスレンブルー、紺青、群青、コバルトブルー等」で形成される。また、各電気泳動粒子１０Ｒ、１０Ｇ、１０Ｂに樹脂粒子が用いられる場合には、各電気泳動粒子１０Ｒ、１０Ｇ、１０Ｂはアクリル系樹脂やエポキシ系樹脂で形成される。液相分散媒８は、例えばハロゲン化炭化水素類や各種油等で形成される。なお、各電気泳動粒子１０Ｒ、１０Ｇ、１０Ｂや液相分散媒８の形成材料は、上記の材料に限定されず、他の材料を用いることも可能である。
【００２５】
赤色電気泳動粒子１０Ｒは正に帯電し、緑色電気泳動粒子１０Ｇ及び青色電気泳動粒子１０Ｂは負に帯電している。赤色電気泳動粒子１０Ｒは、緑色電気泳動粒子１０Ｇ及び青色電気泳動粒子１０Ｂとは逆極性に帯電している。赤色電気泳動粒子１０Ｒは正のゼータ電位（詳細は後述）を有し、緑色電気泳動粒子１０Ｇ及び青色電気泳動粒子１０Ｂは負のゼータ電位を有している。このため、赤色電気泳動粒子１０Ｒのゼータ電位は０Ｖ（ボルト）よりも高く、緑色電気泳動粒子１０Ｇ及び青色電気泳動粒子１０Ｂのそれぞれのゼータ電位は０Ｖよりも低くなっている。赤色電気泳動粒子１０Ｒのゼータ電位は緑色電気泳動粒子１０Ｇのゼータ電位よりも高く、緑色電気泳動粒子１０Ｇのゼータ電位は青色電気泳動粒子１０Ｂのゼータ電位よりも高くなっている。
【００２６】
電気泳動表示装置１は、赤色電気泳動粒子１０Ｒを保持する赤色粒子保持領域（第１色材保持領域）６Ｒと、緑色電気泳動粒子１０Ｇを保持する緑色粒子保持領域（第２色材保持領域）６Ｇとを有している。電気泳動表示装置１は、赤色粒子保持領域６Ｒと緑色粒子保持領域６Ｇとの間に備えられ、青色電気泳動粒子１０Ｂを保持する青色粒子保持領域（第３色材保持領域）６Ｂを有している。赤色粒子保持領域６Ｒと緑色粒子保持領域６Ｇと青色粒子保持領域６Ｂとで画素（第１画素）６が構成されている。画素６は、赤色粒子保持領域６Ｒと緑色粒子保持領域６Ｇとの間に青色粒子保持領域６Ｂを備えている。赤色粒子保持領域６Ｒは画素６のサブ画素としての機能を発揮し、緑色粒子保持領域６Ｇは画素６のサブ画素としての機能を発揮し、青色粒子保持領域６Ｂは画素６の副画素としての機能を発揮するようになっている。図１、後述の図３から図７、図１４から図１７、図１９及び図２０では、理解を容易にするため、赤色粒子保持領域６Ｒ、緑色粒子保持領域６Ｇ及び青色粒子保持領域６Ｂの境界が破線で示されている。
【００２７】
電気泳動表示装置１は、画素６の両側に隣接して設けられ、赤色電気泳動粒子１０Ｒを集積する赤色粒子集積電極（色材集積部）１４と、緑色電気泳動粒子１０Ｇを集積する緑色粒子集積電極（色材集積部）２２とを有している。赤色粒子集積電極１４は基板２上に形成されている。緑色粒子集積電極２２は基板４上に形成されている。
【００２８】
電気泳動表示装置１は、画素６に設けられ、赤色粒子保持領域６Ｒと青色粒子保持領域６Ｂとの間に形成されたＲＢ粒子分離電極１６を有している。ＲＢ粒子分離電極１６は、赤色電気泳動粒子１０Ｒが青色粒子保持領域６Ｇに進入するのを防止し、青色電気泳動粒子１０Ｂが赤色粒子保持領域６Ｒに進入するのを防止するために設けられている。ＲＢ粒子分離電極１６は基板４上に形成されている。
【００２９】
電気泳動表示装置１は、画素６に設けられ、青色粒子保持領域６Ｂと緑色粒子保持領域６Ｇとの間に形成されたＢＧ粒子分離電極２０を有している。ＢＧ粒子分離電極２０は、青色電気泳動粒子１０Ｂが緑色粒子保持領域６Ｇに進入するのを防止し、緑色電気泳動粒子１０Ｇが青色粒子保持領域６Ｂに進入するのを防止するために設けられている。ＢＧ粒子分離電極２０は基板４上に形成されている。
【００３０】
緑色粒子保持領域６Ｇは、緑色電気泳動粒子１０Ｇを緑色粒子保持領域６Ｇ内に保持するとともに拡散するＧ副電極（色材保持拡散部）２８、３０を有している。Ｇ副電極２８、３０は、緑色粒子保持領域６Ｇ内の両端に形成されている。Ｇ副電極２８、３０は基板４上に形成されている。Ｇ副電極２８は、ＢＧ粒子分離電極２０に隣接して形成されている。Ｇ副電極３０は緑色粒子集積電極２２に隣接して形成されている。
【００３１】
青色粒子保持領域６Ｂは、青色電気泳動粒子１０Ｂを青色粒子保持領域６Ｂ内に保持するとともに拡散するＢ副電極（色材保持拡散部）２４、２６を有している。Ｂ副電極２４は、赤色粒子保持領域６Ｒに隣接して形成されている。Ｂ副電極２６は緑色粒子保持領域６Ｇに隣接して形成されている。Ｂ副電極２４、２６は、青粒子保持領域６Ｂ内の両端に形成されている。Ｂ副電極２４、２６は基板４上に形成されている。Ｂ副電極２４は、ＲＢ粒子分離電極１６に隣接して形成されている。Ｂ副電極２６はＢＧ粒子分離電極２０に隣接して形成されている。
【００３２】
各電極１４〜３０は、実質的に導電性を有していれば種々の材料で形成することができる。各電極１４〜３０は、例えばインジウム錫酸化物（ＩＴＯ）で形成されている。
【００３３】
電気泳動表示装置１は、画素６に隣接して設けられ、緑色粒子集積電極２２に対して画素６と対称構造を備えた画素（第２画素）３２を有している。画素３２は、画素６に隣接して配置された緑色粒子保持領域６Ｇと、当該緑色粒子保持領域６Ｇに隣接して配置された青色粒子保持領域６Ｂと、当該青色粒子保持領域６Ｂに隣接して配置された赤色粒子保持領域６Ｒとを有している。画素６では、緑色粒子集積電極２２側から遠ざかる方向（図中左側に向かう方向）に向かって、緑色粒子保持領域６Ｇ、青色粒子保持領域６Ｂ及び赤色粒子保持領域６Ｒがこの順に配置されている。画素３２では、緑色粒子集積電極２２側から遠ざかる方向（図中右側に向かう方向）に向かって、緑色粒子保持領域６Ｇ、青色粒子保持領域６Ｂ及び赤色粒子保持領域６Ｒがこの順に配置されている。このように、画素６と画素３２とは、緑色粒子集積電極２２に対して、各保持領域６Ｒ、６Ｇ、６Ｂの配置が対称になっている。
【００３４】
画素３２に備えられた緑色粒子保持領域６Ｇは緑色粒子集積電極２２に対して、画素６に備えられた緑色粒子保持領域６Ｇと対称構造を有している。画素６に備えられた緑色粒子保持領域６Ｇでは、緑色粒子集積電極２２側から遠ざかる方向（図中左側に向かう方向）に向かって、Ｇ副電極３０及びＧ副電極２８がこの順に配置されている。画素３２に備えられた緑色粒子保持領域６Ｇでは、緑色粒子集積電極２２側から遠ざかる方向（図中右側に向かう方向）に向かって、Ｇ副電極３０及びＧ副電極２８がこの順に配置されている。画素６に備えられた緑色粒子保持領域６ＧでのＧ副電極２８、３０の配置間隔は、画素３２に備えられた緑色粒子保持領域６ＧでのＧ副電極２８、３０の配置間隔とほぼ等しくなっている。このように、画素６に備えられた緑色粒子保持領域６Ｇと画素３２に備えられた緑色粒子保持領域６Ｇとは、緑色粒子集積電極２２に対して、Ｇ副電極２８、３０の配置が対称になっている。画素６に備えられた緑色粒子保持領域６Ｇと画素３２に備えられた緑色粒子保持領域６Ｇとは、緑色粒子集積電極２２に対して、互いに対称構造を有している。
【００３５】
画素３２に備えられた青色粒子保持領域６Ｂは緑色粒子集積電極２２に対して、画素６に備えられた青色粒子保持領域６Ｂと対称構造を有している。画素６に備えられた青色粒子保持領域６Ｂでは、緑色粒子集積電極２２側から遠ざかる方向（図中左側に向かう方向）に向かって、Ｂ副電極２６及びＢ副電極２４がこの順に配置されている。画素３２に備えられた青色粒子保持領域６Ｂでは、緑色粒子集積電極２２側から遠ざかる方向（図中右側に向かう方向）に向かって、Ｂ副電極２６及びＢ副電極２４がこの順に配置されている。画素６に備えられた青色粒子保持領域６ＢでのＢ副電極２４、２６の配置間隔は、と画素３２に備えられた青色粒子保持領域６ＢでのＢ副電極２４、２６の配置間隔とほぼ等しくなっている。このように、画素６に備えられた青色粒子保持領域６Ｂと画素３２に備えられた青色粒子保持領域６Ｂとは、緑色粒子集積電極２２に対して、Ｂ副電極２４、２６の配置が対称になっている。画素６に備えられた青色粒子保持領域６Ｂと画素３２に備えられた青色粒子保持領域６Ｂとは、緑色粒子集積電極２２に対して、互いに対称構造を有している。
【００３６】
画素３２に備えられた赤色粒子保持領域６Ｒは緑色粒子集積電極２２に対して、画素６に備えられた赤色粒子保持領域６Ｒと対称構造を有している。画素６に備えられた赤色粒子保持領域６Ｒでは、緑色粒子集積電極２２側から遠ざかる方向（図中左側に向かう方向）に向かって、ＲＢ粒子分離電極１６及び赤色粒子集積電極１４がこの順に配置されている。画素３２に備えられた赤色粒子保持領域６Ｒでは、緑色粒子集積電極２２側から遠ざかる方向（図中右側に向かう方向）に向かって、ＲＢ粒子分離電極１６及び赤色粒子集積電極１４がこの順に配置されている。画素６に備えられた赤色粒子保持領域６Ｒでの赤色粒子集積電極１４及びＲＢ粒子分離電極１６の配置間隔は、画素３２に備えられた赤色粒子保持領域６Ｒでの赤色粒子集積電極１４及びＲＢ粒子分離電極１６の配置間隔とほぼ等しくなっている。このように、画素６に備えられた赤色粒子保持領域６Ｒと画素３２に備えられた赤色粒子保持領域６Ｒとは、緑色粒子集積電極２２に対して、赤色粒子集積電極１４及びＲＢ粒子分離電極１６の配置が対称になっている。画素６に備えられた赤色粒子保持領域６Ｒと画素３２に備えられた赤色粒子保持領域６Ｒとは、緑色粒子集積電極２２に対して、互いに対称構造を有している。
【００３７】
電気泳動表示装置１は、画素６に隣接して設けられ、赤色粒子集積電極１４に対して画素６と対称構造を備えた画素（第２画素）を有している。図１には、当該画素に備えられた赤色粒子保持領域６Ｒのみが図示されている。当該画素に備えられた赤色粒子保持領域６Ｒは赤色粒子集積電極１４に対して、画素６に備えられた赤色粒子保持領域６Ｒと対称構造を有している。また、図示は省略するが、当該画素は、当該画素の赤色粒子保持領域６Ｒに隣接して青色粒子保持領域を有し、当該青色粒子保持領域に隣接して緑色粒子保持領域を有している。当該画素に備えられた青色粒子保持領域は赤色粒子集積電極１４に対して、画素６に備えられた青色粒子保持領域６Ｂと対称構造を有している。当該画素に備えられた緑色粒子保持領域は赤色粒子集積電極１４に対して、画素６に備えられた緑色粒子保持領域６Ｇと対称構造を有している。
【００３８】
このように、電気泳動表示装置１は、隣り合う画素が互いに対称構造となるように配置されている。したがって、赤色粒子保持領域６Ｒ、緑色粒子保持領域６Ｇ、青色粒子保持領域６Ｂは、「・・・ＲＢＧＧＢＲＲＢＧＧＢＲＲＢＧ・・・」の順に一直線上に並んで配置される。詳細は後述するが、電気泳動表示装置１は、隣り合う画素が互いに対称構造となるように赤色粒子保持領域６Ｒ、緑色粒子保持領域６Ｇ及び青色粒子保持領域６Ｂが並んで各行が構成され、同一色の粒子を保持する保持領域が並んで各列が構成される。これにより、電気泳動表示装置１は、複数の画素がマトリクス状に配置されるとともに、複数の赤色粒子保持領域６Ｒ、緑色粒子保持領域６Ｇ及び青色粒子保持領域６Ｂもマトリクス状に配置される。図示は省略するが、電気泳動表示装置１は、各電極１４〜３０を駆動する駆動回路を有している。
【００３９】
次に、本実施の形態による電気泳動表示装置１の駆動方法について図２から図１７を用いて説明する。まず、電気泳動表示装置１の表示画面を透明状態から白表示状態にする際の動作について図２から図１３を用いて説明する。図２は、電気泳動表示装置１の表示画面を白表示にする際の動作を示すタイミングチャートである。図２上段から、赤色粒子集積電極１４に印加される電圧Ｖ１４、ＲＢ粒子分離電極１６に印加される電圧Ｖ１６、Ｂ副電極２４に印加される電圧Ｖ２４、Ｂ副電極２６に印加される電圧Ｖ２６、ＢＧ粒子分離電極２０に印加される電圧Ｖ２０、Ｇ副電極２８に印加される電圧Ｖ２８、Ｇ副電極３０に印加される電圧Ｖ３０、緑色粒子集積電極２２に印加される電圧Ｖ２２を示している。また、図２の左から右に時間経過を表している。図２では、後述の図８に示す電圧パルスは斜線を施した長方形で表されている。
【００４０】
図３から図７は、電気泳動表示装置１の表示画面を白表示にする際に各電極１４〜３０に印加される電圧の電圧値及び画素６内の赤色、緑色、及び青色電気泳動粒子１０Ｒ、１０Ｇ、１０Ｂの状態を模式的に示している。図３から図７のそれぞれにおいて、上段に画素６の概略の断面を示し、下段に各電極１４〜３０に印加される電圧の電圧値を示している。図３から図７の下段の横軸は上段に図示された各電極１４〜３０の表示位置を表し、縦軸は電圧値を表している。
【００４１】
図８は、緑色粒子保持領域６Ｇや青色粒子保持領域６Ｂに電気泳動粒子を均一に分散する電気泳動粒子均一化工程（詳細は後述）においてＧ副電極２８、３０及びＢ副電極２４、２６にそれぞれ印加される電圧パルスの電圧波形の一例を示している。縦軸は電圧値を表し、横軸は左から右に時間経過を表している。図９から図１３は、電気泳動粒子拡散工程における青色電気泳動粒子１０Ｂの状態を説明する図である。
【００４２】
本実施の形態による電気泳動表示装置１の駆動方法は、画素６内に第１の電界を発生させて、ランダムに配置していた赤色電気泳動粒子１０Ｒ、緑色電気泳動粒子１０Ｇ及び青色電気泳動粒子１０Ｂを所定の領域に集積する電気泳動粒子集積工程（色材集積工程）と、画素６内に第２の電界を発生させて、赤色電気泳動粒子１０Ｒ、緑色電気泳動粒子１０Ｇ及び青色電気泳動粒子１０Ｂを画素６内にそれぞれ分散する電気泳動粒子分散工程（色材分散工程）と、画素６内に第３の電界を発生させて、赤色電気泳動粒子１０Ｒ、緑色電気泳動粒子１０Ｇ及び青色電気泳動粒子１０Ｂを画素６内の異なる領域に分離する電気泳動粒子分離工程（色材分離工程）と、画素６内に第４の電界を発生させて、赤色電気泳動粒子１０Ｒ、緑色電気泳動粒子１０Ｇ及び青色電気泳動粒子１０Ｂを当該異なる領域に保持する電気泳動粒子保持工程（色材保持工程）と、画素６内に電界の向きが反転する第５の電界を発生させて、当該異なる領域内で緑色電気泳動粒子１０Ｇ及び青色電気泳動粒子１０Ｂをそれぞれ拡散する電気泳動粒子拡散工程（色材拡散工程）とを有している。なお、電気泳動粒子集積工程と電気泳動粒子分散工程は、電気泳動表示装置の製造段階又は、電源ＯＮ時の段階で適用される駆動であり、電気泳動粒子分離工程と電気泳動粒子保持工程、電気泳動粒子拡散工程は、ユーザーが使用する段階で適用される駆動である。以下、各工程の動作を具体的に説明する。また、理解を容易にするため、電気泳動粒子集積工程及び電気泳動粒子分散工程と、電気泳動粒子分離工程、電気泳動粒子保持工程及び電気泳動粒子拡散工程とを一連の動作として説明する。
【００４３】
まず、図２及び図３を用いて電気泳動粒子集積工程について説明する。図２及び図３に示すように、例えば時刻ｔｓ０において、赤色粒子集積電極１４には電圧Ｖ１４＝−３０Ｖの電圧が印加され、ＲＢ粒子分離電極１６には電圧Ｖ１６＝０Ｖの電圧が印加され、Ｂ副電極２４には電圧Ｖ２４＝０Ｖの電圧が印加され、Ｂ副電極２６には電圧Ｖ２６＝０Ｖの電圧が印加され、ＢＧ粒子分離電極２０には電圧Ｖ２０＝０Ｖの電圧が印加され、Ｇ副電極２８には電圧Ｖ２８＝０Ｖの電圧が印加され、Ｇ副電極３０には電圧Ｖ３０＝０Ｖの電圧が印加され、緑色粒子集積電極２２には電圧Ｖ２２＝＋３０Ｖの電圧が印加される。各電圧Ｖ１４〜Ｖ３０はほぼ同時に各電極１４〜３０にそれぞれ印加される。各電極１４〜３０への電圧の印加状態は所定時間継続される。
【００４４】
時刻ｔｓ０となって上記の電圧が各電極１４〜３０に印加されると、画素６内には、緑色粒子集積電極２２から赤色粒子集積電極１４に向かう電界（第１の電界）が発生する。図３の上段に示すように、赤色電気泳動粒子１０Ｒは、正に帯電しているため当該電界の向きと同方向に移動して赤色粒子集積電極１４に集積される。一方、緑色電気泳動粒子１０Ｇ及び青色電気泳動粒子１０Ｂは、負に帯電しているため当該電界の向きと反対方向に移動して緑色粒子集積電極２２に集積される。本実施の形態による電気泳動表示装置１では、緑色粒子集積電極２２は電気泳動粒子集積工程における青色電気泳動粒子１０Ｂの集積用電極としての機能も発揮するようになっている。
【００４５】
電気泳動粒子集積工程が終了すると、図３の上段に示すように、赤色電気泳動粒子１０Ｒは赤色粒子集積電極１４近傍に集積され、緑色電気泳動粒子１０Ｇ及び青色電気泳動粒子１０Ｂは緑色粒子集積電極２２近傍に集積され、各電気泳動粒子１０Ｒ、１０Ｇ、１０Ｂは画素６内の残余の領域には存在しなくなる。これにより、電気泳動表示装置１は透明状態となる。電気泳動表示装置１が基板２の下方（基板２の上方でも良い）に例えば黒色板を有していると、電気泳動表示装置１の表示画面は黒表示状態となる。また、白色板を有していると、電気泳動表示装置１の表示画面は白表示状態となる。
【００４６】
電気泳動粒子集積工程が終了すると、次に電気泳動粒子分散工程が実行される。図２及び図４に示すように電気泳動粒子分散工程では、例えば時刻ｔｓ１において、赤色粒子集積電極１４には電圧Ｖ１４＝−３０Ｖの電圧印加が継続され、ＲＢ粒子分離電極１６には電圧Ｖ１６＝０Ｖの電圧印加が継続され、Ｂ副電極２４には電圧Ｖ２４＝＋３０Ｖの電圧が印加され、Ｂ副電極２６には電圧Ｖ２６＝０Ｖの電圧印加が継続され、ＢＧ粒子分離電極２０には電圧Ｖ２０＝０Ｖの電圧印加が継続され、Ｇ副電極２８には電圧Ｖ２８＝０Ｖの電圧印加が継続され、Ｇ副電極３０には電圧Ｖ３０＝０Ｖの電圧印加が継続され、緑色粒子集積電極２２には電圧Ｖ２２＝−３０Ｖの電圧が印加される。各電圧Ｖ１４〜Ｖ３０はほぼ同時に各電極１４〜３０にそれぞれ印加される。各電極１４〜３０への電圧の印加状態は所定時間継続される。
【００４７】
時刻ｔｓ１となって上記の電圧が各電極１４〜３０に印加されると、画素６内には、Ｂ副電極２４から赤色粒子集積電極１４及び緑色粒子集積電極２２にそれぞれ向かう電界（第２の電界）が発生する。赤色電気泳動粒子１０Ｒは、正に帯電しているため赤色粒子集積電極１４近傍での集積状態が維持される。一方、緑色電気泳動粒子１０Ｇ及び青色電気泳動粒子１０Ｂは、負に帯電しているため、Ｂ副電極２４から緑色粒子集積電極２２に向かう電界の方向とは逆方向（図４上段の図中に示す直線矢印の方向）に加速され、青色粒子保持領域６Ｂ及び緑色粒子保持領域６Ｇ側に移動する。本実施の形態では、青色電気泳動粒子１０Ｂのゼータ電位の絶対値は、緑色電気泳動粒子１０Ｇのゼータ電位の絶対値より高くなっている。また、青色電気泳動粒子１０Ｂの電気泳動移動度は、緑色電気泳動粒子１０Ｇの電気泳動移動度より高くなっている。このため、相対的に電気泳動移動度の高い青色電気泳動粒子１０Ｂは、緑色電気泳動粒子１０Ｇよりも優先的にＢ副電極２４に引き寄せられる。このように、本実施の形態による電気泳動表示装置１の駆動方法では、青色電気泳動粒子１０Ｂ及び緑色電気泳動粒子１０Ｇの電気泳動移動度の差を利用して、図４の上段に示すように、青色電気泳動粒子１０Ｂ及び緑色電気泳動粒子１０Ｇは画素６内の異なる領域（本例では、青色粒子保持領域６Ｂ及び緑色粒子保持領域６Ｇ）に分散するようになっている。
【００４８】
電気泳動粒子分散工程が終了すると、次に電気泳動粒子分離工程が実行される。図２及び図５に示すように電気泳動粒子分離工程では、例えば時刻ｔｓ２において、赤色粒子集積電極１４には電圧Ｖ１４＝−５Ｖの電圧が印加され、ＲＢ粒子分離電極１６には電圧Ｖ１６＝−３０Ｖの電圧が印加され、Ｂ副電極２４には電圧Ｖ２４＝０Ｖの電圧が印加され、Ｂ副電極２６には電圧Ｖ２６＝０Ｖの電圧印加が継続され、ＢＧ粒子分離電極２０には電圧Ｖ２０＝−３０Ｖの電圧が印加され、Ｇ副電極２８には電圧Ｖ２８＝０Ｖの電圧印加が継続され、Ｇ副電極３０には電圧Ｖ３０＝０Ｖの電圧印加が継続され、緑色粒子集積電極２２には電圧Ｖ２２＝−３０Ｖの電圧印加が継続される。
【００４９】
電気泳動粒子分離工程において、ＲＢ粒子分離電極１６に電圧Ｖ１６＝−３０Ｖの電圧が印加され、ＢＧ粒子分離電極２０に電圧Ｖ２０＝−３０Ｖの電圧が印加されると、画素６内には、Ｂ副電極２４からＲＢ粒子分離電極１６に向かう電界（第３の電界）が発生し、Ｂ副電極２６からＢＧ粒子分離電極２０に向かう電界（第３の電界）が発生する。当該電界は負に帯電している青色電気泳動粒子１０Ｂに斥力を加える。図５の上段に曲線矢印で示すように、青色電気泳動粒子１０Ｂは、青色粒子保持領域６Ｂの両端から斥力を受けるため、青色粒子保持領域６Ｂ内に滞留する。
【００５０】
また、電気泳動粒子分離工程において、ＢＧ粒子分離電極２０に電圧Ｖ２０＝−３０Ｖの電圧が印加され、緑色粒子集積電極２２には電圧Ｖ２２＝−３０Ｖの電圧が印加されると、画素６内には、Ｇ副電極２８からＢＧ粒子分離電極２０に向かう電界（第３の電界）が発生し、Ｇ副電極３０から緑色粒子集積電極２２に向かう電界（第３の電界）が発生する。当該電界は負に帯電している緑色電気泳動粒子１０Ｇに斥力を加える。図５の上段に曲線矢印で示すように、緑色電気泳動粒子１０Ｇは、緑色粒子保持領域６Ｇの両端から斥力を受けるため、緑色粒子保持領域６Ｇ内に滞留する。
【００５１】
さらに、電気泳動粒子分離工程において、赤色粒子集積電極１４に電圧Ｖ１４＝−５Ｖの電圧を印加すると、赤色粒子集積電極１４からＲＢ粒子分離電極１６に向かう電界（第３の電界）が発生する。赤色電気泳動粒子１０Ｒは正に帯電している。このため、赤色電気泳動粒子１０Ｒは当該電界の方向と同方向に移動する。これにより、図５の上段に示すように、赤色電気泳動粒子１０ＲはＲＢ粒子分離電極１６側に向かって赤色粒子保持領域６Ｒ内でゆっくり分散して滞留する。
【００５２】
このように、電気泳動粒子分離工程において、赤色電気泳動粒子１０Ｒは赤色粒子保持領域６Ｒに滞留し、緑色電気泳動粒子１０Ｇは緑色粒子保持領域６Ｇに滞留し、青色電気泳動粒子１０Ｂは青色粒子保持領域６Ｂに滞留するので、電気泳動表示装置１は、赤色電気泳動粒子１０Ｒ、緑色電気泳動粒子１０Ｇ及び青色粒子保持領域６Ｂを画素６内の異なる領域に分離することができる。
【００５３】
電気泳動粒子分離工程が実行されて所定時間の経過後に、赤色電気泳動粒子１０Ｒ、緑色電気泳動粒子１０Ｇ及び青色電気泳動粒子１０Ｂがそれぞれ、赤色粒子保持領域６Ｒ内、緑色粒子保持領域６Ｇ内及び青色粒子保持領域６Ｂ内である程度均一に分散したら、次に電気泳動粒子保持工程が実行される。図２及び図６に示すように電気泳動粒子保持工程では、例えば時刻ｔｓ３において、赤色粒子集積電極１４には電圧Ｖ１４＝−５Ｖの電圧印加が継続され、ＲＢ粒子分離電極１６には電圧Ｖ１６＝−５Ｖの電圧印加が継続され、Ｂ副電極２４には電圧Ｖ２４＝０Ｖの電圧印加が継続され、Ｂ副電極２６には電圧Ｖ２６＝０Ｖの電圧印加が継続され、ＢＧ粒子分離電極２０には電圧Ｖ２０＝−５Ｖの電圧印加が継続され、Ｇ副電極２８には電圧Ｖ２８＝０Ｖの電圧印加が継続され、Ｇ副電極３０には電圧Ｖ３０＝０Ｖの電圧印加が継続され、緑色粒子集積電極２２には電圧Ｖ２２＝−５Ｖの電圧が印加される。各電圧Ｖ１４〜Ｖ３０はほぼ同時に各電極１４〜３０にそれぞれ印加される。各電極１４〜３０への電圧の印加状態は所定時間継続される。
【００５４】
電気泳動粒子分離工程におけるＲＢ粒子分離電極１６とＢ副電極２４との電位差の絶対値は３０Ｖであるのに対し、電気泳動粒子保持工程における当該電位差は５Ｖである。また、電気泳動粒子分離工程におけるＢＧ粒子分離電極２０とＢ副電極２６との電位差の絶対値は３０Ｖであるのに対し、電気泳動粒子保持工程における当該電位差は５Ｖである。このため、時刻ｔｓ３となって上記の電圧が各電極１４〜３０に印加され、画素６内の青色粒子保持領域６Ｂ及び緑色粒子保持領域６Ｇ内にそれぞれ生じる電界（第４の電界）の強さは弱くなる。このため、電気泳動粒子保持工程における青色電気泳動粒子１０Ｂ及び緑色電気泳動粒子１０Ｇにそれぞれ加えられる斥力は、電気泳動粒子分離工程における当該斥力より弱くなる。これにより、青色電気泳動粒子１０Ｂは、青色粒子保持領域６Ｂの両端側から内側に向かって移動し難くなる。また、緑色電気泳動粒子１０Ｇは、緑色粒子保持領域６Ｇの両端側から内側に向かって移動し難くなる。このため、青色電気泳動粒子１０Ｂは、電気泳動粒子分離工程が終了した時点での広がりを維持したまま青色粒子保持領域６Ｂ内に保持される。同様に、緑色電気泳動粒子１０Ｇは、電気泳動粒子分離工程が終了した時点での広がりを維持したまま緑色粒子保持領域６Ｇ内に保持される。また、青色粒子保持領域６Ｂ内に生じている電界は青色電気泳動粒子１０Ｂが緑色粒子保持領域６Ｇに移動するのを防止するようになっている。同様に、緑色粒子保持領域６Ｇ内に生じている電界は緑色電気泳動粒子１０Ｇが青色粒子保持領域６Ｂに移動するのを防止するようになっている。
【００５５】
電気泳動粒子保持工程において、赤色粒子集積電極１４及びＲＢ粒子分離電極１６に印加される電圧は−５Ｖであるため、赤色粒子集積電極１４とＲＢ粒子分離電極１６との電位差は０Ｖとなって赤色粒子保持領域６Ｒに電界は生じない。このため、赤色電気泳動粒子１０Ｒは赤色粒子保持領域６Ｒ内に、電気泳動粒子分離工程が終了した時点での広がりを維持したまま保持される。
【００５６】
電気泳動粒子保持工程が終了すると、次に電気泳動粒子拡散工程が実行される。図２に示すように電気泳動粒子拡散工程では、例えば時刻ｔｓ４において、赤色粒子集積電極１４には電圧Ｖ１４＝−５Ｖの電圧が印加され、ＲＢ粒子分離電極１６には電圧Ｖ１６＝−５Ｖの電圧印加が継続され、Ｂ副電極２４には電圧Ｖ２４＝＋５Ｖの電圧が印加され、Ｂ副電極２６には電圧Ｖ２６＝０Ｖの電圧印加が継続され、ＢＧ粒子分離電極２０には電圧Ｖ２０＝−５Ｖの電圧印加が継続され、Ｇ副電極２８には電圧Ｖ２８＝＋５Ｖの電圧が印加され、Ｇ副電極３０には電圧Ｖ３０＝０Ｖの電圧印加が継続され、緑色粒子集積電極２２には電圧Ｖ２２＝−５Ｖの電圧印加が継続される。
【００５７】
Ｂ副電極２４に電圧Ｖ２４＝＋５Ｖの電圧が印加されると、画素６の青色粒子保持領域６Ｂ内には、Ｂ副電極２４からＢ副電極２６に向かう電界が発生する。青色電気泳動粒子１０Ｂは、負に帯電しているため、Ｂ副電極２４からＢ副電極２６に向かう電界の方向とは逆方向に移動してＢ副電極２４に集積される。また、Ｇ副電極２８に電圧Ｖ２８＝＋５Ｖの電圧が印加されると、画素６の緑色粒子保持領域６Ｇ内には、Ｇ副電極２８からＧ副電極３０に向かう電界が発生する。緑色電気泳動粒子１０Ｇは、負に帯電しているため、Ｇ副電極２８からＧ副電極３０に向かう電界の方向とは逆方向に移動してＧ副電極２８に集積される。
【００５８】
時刻ｔｓ４から所定時間の経過後に、Ｂ副電極２４とＢ副電極２６との間及びＧ副電極２８とＧ副電極３０との間にはそれぞれ、図８に示す極性の反転する電圧パルスが印加される。当該電圧パルスは時刻ｔｓ５まで印加される。これにより、画素６の青色粒子保持領域６Ｂ内及び緑色粒子保持領域６Ｇ内のそれぞれに、所定のタイミングで方向が反転する電界（第５の電界）が発生する。これにより、図７の上段に示すように、青色電気泳動粒子１０Ｂは、青色粒子保持領域６Ｂ内の基板４側でほぼ均一に拡散する。同様に、図７の上段に示すように、緑色電気泳動粒子１０Ｇは、緑色粒子保持領域６Ｇ内の基板４側でほぼ均一に拡散する。
【００５９】
ここで、図８から図１３を用いて、図８に示す電圧パルスをＢ副電極２４とＢ副電極２６との間及びＧ副電極２８とＧ副電極３０との間にそれぞれ印加することにより、青色電気泳動粒子１０Ｂや緑色電気泳動粒子１０Ｇが、青色粒子保持領域６Ｂ内や緑色粒子保持領域６Ｇ内で均一に拡散する動作原理について説明する。以下、青色粒子保持領域６Ｂを例にとって説明する。
【００６０】
図９は、基板２（図８では不図示）の電極形成面側から見た、Ｂ副電極２４、２６及び青色電気泳動粒子１０Ｂを模式的に示している。図９（ａ）は図８に示す時刻ｔ０でのＢ副電極２４、２６間の電界方向及び青色電気泳動粒子１０Ｂの状態を示し、図９（ｂ）は図８に示す時刻ｔ１〜ｔ２間でのＢ副電極２４、２６間の電界方向及び青色電気泳動粒子１０Ｂの状態を示し、図９（ｃ）は図８に示す時刻ｔ２〜ｔ３間でのＢ副電極２４、２６間の電界方向及び青色電気泳動粒子１０Ｂの状態を示し、図９（ｄ）は図８に示す時刻ｔｎ−１〜ｔｎ間でのＢ副電極２４、２６間の電界方向及び青色電気泳動粒子１０Ｂの状態を示し、図９（ｅ）は図８に示す時刻ｔｎ以降でのＢ副電極２４、２６間の電界方向及び青色電気泳動粒子１０Ｂの状態を示している。図９（ａ）から図９（ｅ）では、理解を容易にするため、Ｂ副電極２４、２６の電極幅や電極間隔等の比率が図７とは異ならせて図示されている。
【００６１】
図１０は、図８に示す時刻ｔ０から時刻ｔ１における青色電気泳動粒子１０Ｂの状態を説明する図である。図１０（ａ）は、時刻ｔ０でのＢ副電極２４、２６間の電界方向及び青色電気泳動粒子１０Ｂの状態を示し、図１０（ｂ）は、時刻ｔ０から所定時間経過後のＢ副電極２４、２６間の電界方向及び青色電気泳動粒子１０Ｂの状態を示し、図１０（ｃ）は、さらに所定時間経過後のＢ副電極２４、２６間の電界方向及び青色電気泳動粒子１０Ｂの状態を示し、図１０（ｄ）は、時刻ｔ１でのＢ副電極２４、２６間の電界方向及び青色電気泳動粒子１０Ｂの状態を示している。図１０（ａ）から図１０（ｄ）では、理解を容易にするため、Ｂ副電極２４、２６の電極幅や基板２、４の間隔等の比率が図７や図９とは異ならせて図示されている。
【００６２】
青色電気泳動粒子１０Ｂは負に帯電している。このため、図１０（ｂ）に示すように、Ｂ副電極２４上に集積された青色電気泳動粒子１０Ｂは電界Ｅ０の方向とは逆方向に移動を開始する。電気泳動粒子の電気泳動速度をｖとし、電界をＥとし、電気泳動粒子の電気泳動移動度をμとすると、電気泳動粒子の電気泳動速度は、
ｖ＝μＥ  ・・・（１）
と表すことができる。電気泳動粒子の電気泳動移動度が一定であるとすると、電気泳動粒子の電気泳動速度は電界の強さに比例する。すわなち、電気泳動粒子の電気泳動速度は電界の強さで決定される。
【００６３】
したがって、図１０（ｃ）に直線矢印で示すように、青色電気泳動粒子１０Ｂの電気泳動速度をＢ副電極２４、２６に近い方側から順にｖ１、ｖ２、ｖ３及びｖ４とする。電界Ｅ０はＢ副電極２４、２６に近付くにつれて強くなる。このため、青色粒子保持領域６Ｂの厚さ方向の青色電気泳動粒子１０Ｂの電気泳動速度の関係は、ｖ１＞ｖ２＞ｖ３＞ｖ４＞０となる。青色電気泳動粒子１０Ｂは、電界Ｅ０が相対的に強く、青色電気泳動粒子１０Ｂの電気泳動速度が相対的に速くなる領域に集塵され易い傾向にある。このため、青色粒子保持領域６Ｂ内に電界Ｅ０が生じている段階では、青色電気泳動粒子１０Ｂの濃度はＢ副電極２４、２６が形成された基板２側の方がＢ副電極２４、２６が形成されていない基板４側より高くなる。また、青色電気泳動粒子１０Ｂは、Ｂ副電極２４、２６の形成されていない基板４側と比較して、Ｂ副電極２４、２６の形成された基板２側の方に凝集されて、基板２側に青色電気泳動粒子１０Ｂの濃度むらが生じ易くなる。
【００６４】
電界Ｅ０が生じている際の青色電気泳動粒子１０Ｂのより詳細な状態を説明する前に、図１１を用いてゼータ電位について説明する。液体中に分散している粒子の多くは、正又は負に帯電しており、電気的中性を保とうとする。このため、粒子表面の液体中には、粒子と逆符号をもつイオンが集まる。荷電を有する層は当該荷電と反対荷電を有する層に取り巻かれる。これにより、粒子の周りは電気二重層が形成された状態となる。
【００６５】
しかし、液体中のイオンの分布は熱運動のため撹乱される。反対荷電の濃度は粒子の表面近傍では高く、粒子の表面から遠ざかるにつれて次第に低下する。粒子から充分に離れた領域では、正のイオンの荷電と負のイオンの荷電が相殺して電気的中性が保たれる。これと比較して、粒子表面のイオン分布はぼやけていない。粒子表面に一部のイオンが強く表面に引き寄せられて固定されている場合が多い。当該層は「固定層」（シュテルン層）と呼ばれる。また、固定層の周りのイオン分布がぼやけてイオンが拡散する層は「拡散層」とよばれる。粒子は、固定層及び拡散層の内側の一部を伴って移動すると推定され、この移動が起こる面は「滑り面」と呼ばれる。「ゼータ電位」は、粒子から充分に離れて電気的に中性である領域の電位を基準（ゼロ点）として測った場合の滑り面の電位である。
【００６６】
図１１は、液相分散媒８中の青色電気泳動粒子１０Ｂを示している。また、図１１には、液相分散媒８中の青色電気泳動粒子１０Ｂの周囲の電位のグラフを模式的に示している。当該グラフにおいて、横軸は距離ｒを表し、縦軸は電位を表している。なお、当該電位は絶対値で表されている。図１１に示すように、青色電気泳動粒子１０Ｂは負に帯電しているので、青色電気泳動粒子１０Ｂの表面には正イオンによる固定層１３が形成され、固定層１３を覆って正イオンと負イオンとが拡散する拡散層１５が形成されている。青色電気泳動粒子１０Ｂは、滑り面１７より内側の拡散層１７と固定層１３とを伴って液相分散媒８中を移動する。青色電気泳動粒子１０Ｂの表面近傍の滑り面１７の電位は負となり、青色電気泳動粒子１０Ｂのゼータ電位は負となる。青色電気泳動粒子１０Ｂの周囲の電位は、青色電気泳動粒子１０Ｂの表面で最大となり、青色電気泳動粒子１０Ｂから遠ざかるに従って単調に減少する。例えば、青色電気泳動粒子１０Ｂの表面電位φ０が最も高く、次に固定層１３の最外周の電位φｓが高く、次に滑り面１７の電位（ゼータ電位）φｚが高く、拡散層１５の最外周の電位φｄが最も低くなる。なお、緑色電気泳動粒子１０Ｇは、負に帯電しているので、青色電気泳動粒子１０Ｂと同様に、緑色電気泳動粒子１０Ｇの表面には正イオンによる固定層が形成され、当該固定層を覆って正イオンと負イオンとが拡散する拡散層が形成される。また、赤色電気泳動粒子１０Ｒは、正に帯電しているので、青色電気泳動粒子１０Ｂとは異なり、赤色電気泳動粒子１０Ｒの表面には負イオンによる固定層が形成され、当該固定層を覆って正イオンと負イオンとが拡散する拡散層が形成される。
【００６７】
ゼータ電位が相対的に高い（例えば、絶対値が５０ｍＶ以上）と、拡散層は電気泳動粒子の動きに追随できなくなる。このため、電気二重層は変形し、電気泳動粒子の中心に対して非対称となる。例えば、本実施の形態における青色電気泳動粒子１０Ｂのゼータ電位の絶対値は５９．５ｍＶである。電界Ｅ０は、青色粒子保持領域６Ｂの厚さ方向において、Ｂ副電極２４、２６側での電界強度が最も強い。このため、青色電気泳動粒子１０Ｂの電気泳動速度は、青色粒子保持領域６Ｂの厚さ方向において、Ｂ副電極２４、２６側で最も速くなる。このため、図１２に示すように、Ｂ副電極２４、２６側で電気泳動する青色電気泳動粒子１０Ｂの拡散層は、青色電気泳動粒子１０Ｂの中心に対して非対称となる。図中に直線矢印で示すように、青色電気泳動粒子１０ＢはＢ副電極２６に引き寄せられ、拡散層１５内の正イオンはＢ副電極２４に引き寄せられる。図１３（ａ）に示すように、Ｂ副電極２４、２６間に電圧Ｖ０の電位差が生じ、電界Ｅ０が発生している間は、緩和効果及びにクーロン引力により、複数の青色電気泳動粒子１０Ｂは凝集し易くなる。
【００６８】
図１２は、図８に示す時刻ｔ０から時刻ｔ１での所定の青色電気泳動粒子１０Ｂの状態を模式的に示している。図１３は、時刻ｔ０及び時刻ｔ１での青色電気泳動粒子１０Ｂの状態を模式的に示している。図１３（ａ）は、時刻ｔ０での青色電気泳動粒子１０Ｂの状態を示し、図１３（ｂ）は、時刻ｔ１での青色電気泳動粒子１０Ｂの状態を示している。
【００６９】
図２に示す時刻ｔｓ４から所定時間の経過後の、図８に示す時刻ｔ０において、Ｂ副電極２４、２６間にピーク電圧値が＋Ｖ０ボルトの電圧が印加される。例えばＢ副電極２４に０Ｖの電圧が印加され、Ｂ副電極２６に＋Ｖ０ボルトの電圧が印加される。これにより、図９（ａ）及び図１０（ａ）に示すように、Ｂ副電極２４、２６間には、Ｂ副電極２６からＢ副電極２４に向かう電界Ｅ０が発生する。Ｂ副電極２４、２６間に発生する電界Ｅ０は横電界であるため、電界Ｅ０の電界強度はＢ副電極２４、２６に近付くにつれて強くなる。すなわち、電界Ｅ０は基板４側よりも基板２側の方が強くなる。
【００７０】
複数の青色電気泳動粒子１０Ｂが凝集しながらＢ副電極２６側に移動しているときに、図８に示すように、時刻ｔ０で印加された電圧パルスとは逆極性の電圧パルスがＢ副電極２４、２６間に印加される。図８に示す時刻ｔ１において、例えばＢ副電極２４にピーク電圧値が−Ｖ１ボルトの電圧が印加され、Ｂ副電極２６に０Ｖの電圧が印加される。これにより、図９（ｂ）及び図１０（ｄ）に示すように、Ｂ副電極２４、２６間には、Ｂ副電極２４からＢ副電極２６に向かう電界Ｅ１が発生する。Ｂ副電極２４、２６間に発生する電界Ｅ１は横電界であるため、電界Ｅ１の電界強度はＢ副電極２４、２６に近付くにつれて強くなる。電界Ｅ１は基板４側よりも基板２側の方が強くなる。Ｂ副電極２４、２６間に印加される電圧の絶対値は、時刻ｔ０よりも時刻ｔ１の方が低くなっている。このため、電界Ｅ１の電界強度は電界Ｅ０の電界強度よりも弱くなる。
【００７１】
図１３（ａ）に示すように、非対称の状態で凝集しながら移動していた複数の青色電気泳動粒子１０Ｂに、それまでとは逆方向の電界Ｅ１が瞬間的に与えられると、図１３（ｂ）に示すように、複数の青色電気泳動粒子１０Ｂはほぼ対称の状態になる。また、Ｂ副電極２４、２６近傍では、青色電気泳動粒子１０Ｂの粒子濃度が高くなっている。このため、図１３（ｂ）の図中に直線矢印で示すように、隣接する青色電気泳動粒子１０Ｂ間にクーロン反発力が生じる。青色電気泳動粒子１０Ｂはこのクーロン反発力により分散する。図１０（ｄ）の図中に双方向矢印で示すように、電界Ｅ０とは逆方向の電界Ｅ１が発生すると、青色電気泳動粒子１０Ｂ間にクーロン反発力が生じる。これにより、図９（ｂ）に示すように、一部の青色電気泳動粒子１０ＢはＢ副電極２４側に移動し、他の一部の青色電気泳動粒子１０ｂはＢ副電極２４側に移動しつつもクーロン反発力によりＢ副電極２６側に押し戻される。このため、青色電気泳動粒子１０Ｂは青色粒子保持領域６Ｂにおいて基板２、４の面内方向に拡散する。これにより、Ｂ副電極２４、２６近傍での青色電気泳動粒子１０Ｂの濃度むらは改善される。一方、ゼータ電位が相対的に低い（例えば、絶対値が５０ｍＶ以下）場合に関しても、わずかに電気二重層が変形することにより、電気泳動粒子の中心に対してわずかに非対称になる。このため、上記ゼータ電位が相対的に高い（例えば、絶対値が５０ｍＶ以上）場合と同様の現象がおこると考えられる。
【００７２】
時刻ｔ１から所定時間の経過後の時刻ｔ２において、図８に示すように、時刻ｔ１で印加された電圧パルスとは逆極性の電圧パルスがＢ副電極２４、２６間に印加される。図８に示す時刻ｔ２において、例えばＢ副電極２４に０Ｖの電圧が印加され、Ｂ副電極２６にピーク電圧値が＋Ｖ２ボルトの電圧が印加される。これにより、図９（ｃ）に示すように、Ｂ副電極２４、２６間には、Ｂ副電極２６からＢ副電極２４に向かう電界Ｅ２が発生する。Ｂ副電極２４、２６間に発生する電界Ｅ２は横電界であるため、電界Ｅ２の電界強度はＢ副電極２４、２６に近付くにつれて強くなる。電界Ｅ２は基板４側よりも基板２側の方が強くなる。Ｂ副電極２４、２６間に印加されるピーク電圧の絶対値は、時刻ｔ１よりも時刻ｔ２の方が低くなっている。このため、電界Ｅ２の電界強度は電界Ｅ０及び電界Ｅ１のそれぞれの電界強度よりも弱くなる。
【００７３】
図９（ｃ）に示すように、青色電気泳動粒子１０Ｂは電界Ｅ２の方向とは逆方向に移動を開始する。式（１）に示すように、青色電気泳動粒子１０Ｂの電気泳動速度は、青色粒子保持領域６Ｂ内に生じている電界Ｅ２に比例する。電界Ｅ２の電界強度は電界Ｅ０の電界強度よりも弱い。このため、青色電気泳動粒子１０Ｂは、青色粒子保持領域６Ｂ内に電界Ｅ０が生じていたときよりも遅い速度でＢ副電極２６側に移動する。また、青色粒子保持領域６Ｂの厚さ方向の青色電気泳動粒子１０Ｂの電気泳動速度は、基板２側に近付くにつれて速くなる。このため、青色電気泳動粒子１０Ｂは、逆方向の電界Ｅ１が発生することによって分散した状態を維持しつつも基板２側で濃度むらが生じる。しかしながら、電界Ｅ２の強度は電界Ｅ０の強度よりも弱いため、青色電気泳動粒子１０Ｂの濃度むらは低減されている。
【００７４】
図８に示すように、時刻ｔ２以降の時刻ｔ３において時刻ｔ２で印加された電圧パルスとは逆極性のであってピーク電圧値の絶対値が低い電圧パルスがＢ副電極２４、２６間に印加され、さらにその後の時刻ｔ４において時刻ｔ３で印加された電圧パルスとは逆極性であってピーク電圧値の絶対値が低い電圧パルスがＢ副電極２４、２６間に印加される。このように、直前に印加された電圧パルスと極性が反転されかつ電圧値の絶対値が小さい電圧パルスがＢ副電極２４、２６間に所定回数印加される。
【００７５】
図８に示すように、時刻ｔｎ−１においてピーク電圧値が−Ｖｎ−１ボルトの電圧パルスがＢ副電極２４、２６間に印加され、その後の時刻ｔｎにおいてピーク電圧値が＋Ｖｎボルトの電圧パルスがＢ副電極２４、２６間に印加される。＋Ｖｎボルトの絶対値は、−Ｖｎ−１ボルトの絶対値より低く設定される。
【００７６】
例えばＢ副電極２４にピーク電圧値が−Ｖｎ−１ボルトの電圧が印加され、Ｂ副電極２６に０Ｖの電圧が印加されると、図９（ｄ）に示すように、Ｂ副電極２４、２６間には、Ｂ副電極２４からＢ副電極２６に向かう電界Ｅｎ−１が発生する。これにより、青色電気泳動粒子１０Ｂは、図９（ｂ）において説明したのと同様に動作して、青色粒子保持領域６Ｂにおいて基板２、４の面内方向に拡散する。これにより、Ｂ副電極２４、２６近傍での青色電気泳動粒子１０Ｂの濃度むらは改善される。また、極性反転する電圧パルスが複数回印加されることにより、青色電気泳動粒子１０Ｂは均一に拡散された状態でＢ副電極２６近傍に達する。
【００７７】
例えばＢ副電極２６にピーク電圧値が＋Ｖｎボルトの電圧が印加され、Ｂ副電極２４に０Ｖの電圧が印加されると、図９（ｅ）に示すように、Ｂ副電極２４、２６間には、Ｂ副電極２６からＢ副電極２４に向かう電界Ｅｎが発生する。これにより、青色電気泳動粒子１０Ｂは、青色粒子保持領域６Ｂにおいて基板２、４の面内方向にほぼ均一に拡散した状態でＢ副電極２６に到達する。
【００７８】
電気泳動粒子拡散工程において、Ｇ副電極２８、３０にも図８に示す電圧パルスが印加される。これにより、Ｇ副電極２８に集積された緑色電気泳動粒子１０Ｇは、図８から図１３を用いて説明した青色電気泳動粒子１０Ｂの動作と同様に動作して、緑色粒子保持領域６Ｇにおいて基板２、４の面内方向にほぼ均一に拡散した状態でＧ副電極３０に到達する。
【００７９】
図８に示す電圧パルスの印加が終了したら、図７の下段に示すように、赤色粒子集積電極１４には電圧Ｖ１４＝−５Ｖの電圧印加が継続され、ＲＢ粒子分離電極１６には電圧Ｖ１６＝−５Ｖの電圧印加が継続され、Ｂ副電極２４には電圧Ｖ２４＝０Ｖの電圧が印加され、Ｂ副電極２６には電圧Ｖ２６＝０Ｖの電圧印加が継続され、ＢＧ粒子分離電極２０には電圧Ｖ２０＝−５Ｖの電圧印加が継続され、Ｇ副電極２８には電圧Ｖ２８＝０Ｖの電圧が印加され、Ｇ副電極３０には電圧Ｖ３０＝０Ｖの電圧印加が継続され、緑色粒子集積電極２２には電圧Ｖ２２＝−５Ｖの電圧が印加される。各電圧Ｖ１４〜Ｖ３０はほぼ同時に各電極１４〜３０にそれぞれ印加される。各電極１４〜３０への電圧の印加状態は所定時間継続される。青色電気泳動粒子１０Ｂ及び緑色電気泳動粒子１０Ｇにそれぞれ加えられる斥力は、電気泳動粒子保持工程における当該斥力とほぼ同一となる。これにより、青色電気泳動粒子１０Ｂは、図８に示す電圧パルスの印加が終了した時点での広がりを維持したまま青色粒子保持領域６Ｂ内に保持される。同様に、緑色電気泳動粒子１０Ｇは、図８に示す電圧パルスの印加が終了した時点での広がりを維持したまま緑色粒子保持領域６Ｇ内に保持される。こうして、赤色電気泳動粒子１０Ｒと青色電気泳動粒子１０Ｂと緑色電気泳動粒子１０Ｇとは、画素６内であって基板２、４の面内方向にほぼ均一に拡散する。これにより、電気泳動表示装置５の表示画面は白表示状態となる。
【００８０】
ところで、電気泳動粒子拡散工程においてＢ副電極２４、２６やＧ副電極２８、３０に印加される電圧パルスは、例えばパルス幅が短すぎると、青色電気泳動粒子１０Ｂや緑色電気泳動粒子１０Ｇが画素６内の青色粒子保持領域６Ｂや緑色粒子保持領域６Ｇに十分に広がることができない。これにより、緑色粒子保持領域６Ｇや青色粒子保持領域６Ｂの表示色は、明白な緑色や青色にならず、濃淡むらのある青色に見えてしまう。一方、当該電圧パルスは、例えばパルス幅が長すぎると、Ｂ副電極２４に集積された青色電気泳動粒子１０Ｂの多くはＢ副電極２６まで移動し、Ｇ副電極２８に集積された緑色電気泳動粒子１０Ｇの多くは、Ｇ副電極３０まで移動してしまう。これにより、緑色粒子保持領域６Ｇや青色粒子保持領域６Ｂの表示色は、明白な緑色や青色にならず、濃淡むらのある緑色や青色に見えてしまう。本実施の形態による電気泳動表示装置１は、電気泳動粒子拡散工程において副電極間に印加される電圧パルスの電圧値や反転タイミングは、電気泳動粒子の電気泳動移動度やゼータ電位及び副電極の間隔等に基づいて決定される。
【００８１】
本実施の形態では、図８に示すように、当該電圧パルスは、極性反転する度にピーク電圧値が減衰するパルス波形を有している。当該電圧パルスは、正極性側のピーク電圧値の絶対値が線形的に減衰する電圧波形を有している。当該電圧パルスは、負極性側のピーク電圧値の絶対値が線形的に減衰する電圧波形を有している。また、当該電圧パルスは正極性では逆のこぎり波の電圧波形を有し、負極性ではのこぎり波の電圧波形を有している。極性反転する度に電圧パルスのピーク電圧の絶対値を減少させると、画素内に発生する電界に起因する電気泳動粒子の凝集の影響は、電圧パルス印加前に電気泳動粒子が集積されていない副電極側に移動するに従って小さくなる。これにより、集積されていない副電極に到達した電気泳動粒子が当該副電極側に凝集するのを防止でき、電気泳動粒子は画素内の基板面内方向でより一層均一に拡散することができる。また、初期のピーク電圧値を最大値とすることにより、副電極に集積された電気泳動粒子は効率よく当該副電極からの密着を解除できる。「正極性」とは、当該電圧パルスの印加前に電気泳動粒子が集積された副電極の印加電圧が電気泳動粒子の集積されていない副電極の印加電圧よりも低い状態をいう。「負極性」とは、当該電圧パルスの印加前に電気泳動粒子が集積された副電極の印加電圧が電気泳動粒子の集積されていない副電極の印加電圧よりも高い状態をいう。すなわち、電気泳動粒子は、副電極間に「正極性」の電圧が印加されると画素内を移動し始め、副電極間に「負極性」の電圧が印加されるとクーロン反発力により瞬間的に分散される。
【００８２】
当該電圧パルスは、極性反転し、かつ極性反転する度にピーク電圧値が減少すれば、図８に示す電圧波形に限られない。例えば、当該電圧パルスは、のこぎり波や逆のこぎり波ではなく方形波であってもよい。また、当該電圧パルスは、正極性側及び負極性側のそれぞれにおいて、ピーク電圧値が指数関数的あるいは対数関数的などの様々な形状で減衰してもよい。
【００８３】
ところで、特許文献１に記載の表示装置では、電気泳動粒子を表示領域に引き付けるために使用される表示電極は、その表示領域上で分離された２つの副電極を有している。当該表示装置は、電気泳動粒子が表示領域を覆う際に、その電気泳動粒子を片方の副電極に収集し、次に２つの副電極間に電圧パルスを印加してその表示領域に電気泳動粒子を拡散するように構成されている。しかしながら、当該表示装置では、副電極間にパルス電圧が１回印加されるだけであるため、表示領域全面への電気泳動粒子の拡散は電気泳動粒子の動きに依存してしまう。このため、当該表示装置では、表示領域全面に電気泳動粒子を均一に拡散することが困難であり、表示むらが発生してしまう。
【００８４】
これに対し、本実施の形態による電気泳動表示装置１は、緑色粒子保持領域６Ｇ及び青色粒子保持領域６Ｂにそれぞれ備えられたＧ副電極２８及びＧ副電極３０間並びにＢ副電極２４及びＢ副電極２６間にそれぞれ印加される電圧パルスの最適化が図られている。このため、緑色電気泳動粒子１０Ｇ及び青色電気泳動粒子１０Ｂは緑色粒子保持領域６Ｇ内及び青色粒子保持領域６Ｂ内により均一に分散することができる。これにより、電気泳動表示装置１は、コントラストを改善することができる。
【００８５】
より具体的には、電気泳動表示装置１は、緑色及び青色電気泳動粒子１０Ｇ、１０Ｂを緑色及び青色粒子保持領域６Ｇ、６Ｂの面内方向にわたって均一に分散させる際に、電圧の印加（例えば、図８に示す時刻ｔ０での＋Ｖ０ボルトの電圧印加）に基づいて発生する電界に起因して一方方向に進行する緑色及び青色電気泳動粒子１０Ｇ、１０Ｂに逆電圧の印加（例えば、図８に示す時刻ｔ１での−Ｖ１ボルトの電圧印加）を施して、緑色及び青色電気泳動粒子１０Ｇ、１０Ｂのそれぞれの凝集が瞬間的に緩和され粒子分散を引き起こすことができる。電気泳動表示装置１は、この逆電圧の印加に起因して生じる緑色及び青色電気泳動粒子１０Ｇ、１０Ｂの分散現象を利用している。また、図８に示す時刻ｔ２において、極性が異なり絶対値がＶ１ボルトよりも低い＋Ｖ２ボルトの電圧を印加することにより、緑色及び青色電気泳動粒子１０Ｇ、１０Ｂは緑色及び青色粒子保持領域６Ｇ、６Ｂを覆うように進行し始める。さらにその後、電気泳動表示装置１は、図８に示す時刻ｔ３において、極性が異なり絶対値がＶ２ボルトの電圧よりも低い−Ｖ３ボルトの電圧を印加することにより、緑色及び青色電気泳動粒子１０Ｇ、１０Ｂに分散現象を生じさせることができる。電気泳動表示装置１は、緑色及び青色電気泳動粒子１０Ｇ、１０ＢがＧ及びＢ副電極２８、２４からＧ及びＢ副電極３０、２６に最初に到達するまで当該駆動を繰り返し実行するように構成されている。これより、電気泳動表示装置１は、緑色及び青色電気泳動粒子１０Ｇ、１０Ｂを画素６内にわたって均一に分散させることができる。
【００８６】
また、電気泳動表示装置１は、電気泳動粒子拡散工程の前に、電気泳動粒子集積工程と、電気泳動粒子分散工程と、電気泳動粒子分離工程と、電気泳動粒子保持工程とを実行することにより、画素６内の赤色粒子保持領域６Ｒ、緑色粒子保持領域６Ｇ及び青色粒子保持領域６Ｂに赤色電気泳動粒子１０Ｒ、緑色電気泳動粒子１０Ｇ及び青色電気泳動粒子１０Ｂをそれぞれ安定かつ均一に分離して分散することが可能となる。
【００８７】
また、特許文献２には、電気泳動移動度の異なる複数色の電気泳動粒子に電界を作用させ、電気泳動粒子の電気泳動移動度の差を利用して、色毎に電気泳動粒子を分離し、分離された各電気泳動粒子のうちの特定の電気泳動粒子に電界を作用させて選別し、当該特定の電気泳動粒子を画素空間の表示部側に移送する表示装置が開示されている。当該表示装置は、電気泳動粒子を分離したり選別したりする際に、隣接画素間で混ざり合わないように、各画素間にリブ（仕切り壁）を有している。このため、当該表示装置は、隔壁材料を用いる必要があり、材料の選択や画素構造のアスペクト比などの制約が多くなる。当該表示装置は、当該リブの形成材料や形成工程を必要とするため、製造工程の複雑化及びコスト高になるという問題を有している。さらに、当該表示装置は、選別した電気泳動粒子を画素空間の表示部側へ移動させる電極を表示部側の全面に有しているため、光の利用効率が低くなるという問題を有している。
【００８８】
これに対し、本実施の形態による電気泳動表示装置１は、隣接画素が互いに対称構造を有している。このため、電気泳動表示装置１は、隣接画素間で同一色の粒子保持領域が隣接する構造を有している。図１に示すように、画素６の緑色粒子保持領域６Ｇには、画素３２の緑色粒子保持領域６Ｇが隣接して配置され、画素６の赤色粒子保持領域６Ｒには、画素６の隣の画素の赤色粒子保持領域６Ｒが隣接して配置されている。このため、電気泳動表示装置１は、電気泳動粒子分散工程、電気泳動粒子分離工程及び電気泳動粒子拡散工程において、赤色及び緑色電気泳動粒子１０Ｒ、１０Ｇが隣接画素の両方に移動しても画素間での混色が生じないようになっている。電気泳動表示装置１は、画素間にリブを設ける必要がなく、材料の選択や画素構造のアスペクト比などの制約をほとんど有さない。さらに、電気泳動表示装置１は、画素間にリブを設ける必要がないので、製造工程の簡略化及び低コスト化を図ることができる。
【００８９】
電気泳動表示装置１は、画素間にリブを有していないので、光の透過率が向上して高輝度化を図ることができる。電気泳動表示装置１は、各電極１４〜３０の電極幅を狭くすることにより、画素６の開口率の向上や有効な動作表示領域を広げることができる。これにより、電気泳動表示装置１は、各電極１４〜３０で消費される光損失を軽減できるので、光の利用効率を高めることができ、さらに高輝度化を図ることができる。
【００９０】
電気泳動表示装置１は、基板２、４間のセル内部に注入された各電気泳動粒子１０Ｒ、１０Ｇ、１０Ｂの電気泳動移動度の差と上記駆動方法とを用いて、赤色粒子保持領域６Ｒ内、緑色粒子保持領域６Ｇ内及び青色粒子保持領域６Ｂ内に、対応する色の電気泳動粒子１０Ｒ、１０Ｇ、１０Ｂを均一に分離・分散することができる。電気泳動表示装置１は、各電気泳動粒子１０Ｒ、１０Ｇ、１０Ｂを分離・分散した後に、隣り合う赤色粒子保持領域６Ｒ、緑色粒子保持領域６Ｇ及び青色粒子保持領域６Ｂ同士で影響を及ぼしあうことないので、高明度なフルカラー表示が可能になる。
【００９１】
電気泳動表示装置１は、各電極１４〜３０に適切な電圧パルスを印加することにより、所定の階調数の階調表示を赤色粒子保持領域６Ｒ、緑色粒子保持領域６Ｇ及び青色粒子保持領域６Ｂに表示することができる。
【００９２】
次に、電気泳動表示装置１の表示画面を白表示から赤色、緑色及び青色のいずれかの単色表示に変更する動作例について図１４から図１６を用いて説明する。なお、電気泳動表示装置１に備えられた全画素は全て同様に動作するが、以下全画素のうちの画素６を例にとって説明する。図１４は、電気泳動表示装置１の表示画面を白表示から赤色表示に変更する動作例を説明する図である。図１５は、電気泳動表示装置１の表示画面を白表示から緑色表示に変更する動作例を説明する図である。図１６は、電気泳動表示装置１の表示画面を白表示から青色表示に変更する動作例を説明する図である。図１４から図１６のそれぞれにおいて、上段に画素６の概略の断面を示し、下段に各電極１４〜３０に印加される電圧の電圧値の一例を示している。図１４から図１６の下段の横軸は上段に図示された各電極１４〜３０の表示位置を表し、縦軸は電圧値を表している。
【００９３】
図１４に示すように、表示画面を白色表示から赤色表示に変更する場合には、図７に示す電圧を各電極１４〜３０にそれぞれ印加して表示画面を白色表示とした後に、赤色粒子集積電極１４には電圧Ｖ１４＝−５Ｖの電圧が印加され、ＲＢ粒子分離電極１６には電圧Ｖ１６＝−５Ｖの電圧が印加され、Ｂ副電極２４には電圧Ｖ２４＝＋５Ｖの電圧が印加され、Ｂ副電極２６には電圧Ｖ２６＝０Ｖの電圧が印加され、ＢＧ粒子分離電極２０には電圧Ｖ２０＝−５Ｖの電圧が印加され、Ｇ副電極２８には電圧Ｖ２８＝０Ｖの電圧が印加され、Ｇ副電極３０には電圧Ｖ３０＝＋５Ｖの電圧が印加され、緑色粒子集積電極２２には電圧Ｖ２２＝−５Ｖの電圧が印加される。各電圧Ｖ１４〜Ｖ３０はほぼ同時に各電極１４〜３０にそれぞれ印加される。ただし、応答時間を早くしたい場合は、電圧値は上記の値に限らず、必要に応じてより高くするなどする。
【００９４】
上記の電圧が各電極１４〜３０に印加されると、画素６内には、Ｂ副電極２４からＢ副電極２６に向かう電界と、Ｇ副電極３０からＧ副電極２８に向かう電界とが発生する。青色電気泳動粒子１０Ｂ及び緑色電気泳動粒子１０Ｇは負に帯電している。このため、図１４の図中上段に示すように、青色電気泳動粒子１０ＢはＢ副電極２４からＢ副電極２６に向かう電界の方向とは逆方向に加速されてＢ副電極２４に集積される。また、緑色電気泳動粒子１０ＧはＧ副電極３０からＧ副電極２８に向かう電界の方向とは逆方向に加速されてＧ副電極３０に集積される。
【００９５】
一方、赤色粒子集積電極１４及びＲＢ粒子分離電極１６に印加される電圧は−５Ｖであるため、赤色粒子集積電極１４とＲＢ粒子分離電極１６との電位差は０Ｖとなって赤色粒子保持領域６Ｒに電界は生じない。このため、赤色電気泳動粒子１０Ｒはそれまでの広がりを維持したまま赤色粒子保持領域６Ｒ内に保持される。
【００９６】
青色電気泳動粒子１０ＢはＢ副電極２４に集積され、緑色電気泳動粒子１０ＧはＧ副電極３０に集積されるため、青色粒子保持領域６Ｂ及び緑色粒子保持領域６Ｇは透明状態となる。これに対し、赤色電気泳動粒子１０Ｒは赤色粒子保持領域６Ｒに広がって保持されている。これにより、電気泳動表示装置１の表示画面は赤色単色の表示状態となる。
【００９７】
図１５に示すように、表示画面を白色表示から緑色表示に変更する場合には、図７に示す電圧を各電極１４〜３０にそれぞれ印加して表示画面を白色表示とした後に、赤色粒子集積電極１４には電圧Ｖ１４＝−１０Ｖの電圧が印加され、ＲＢ粒子分離電極１６には電圧Ｖ１６＝−５Ｖの電圧が印加され、Ｂ副電極２４には電圧Ｖ２４＝＋５Ｖの電圧が印加され、Ｂ副電極２６には電圧Ｖ２６＝０Ｖの電圧が印加され、ＢＧ粒子分離電極２０には電圧Ｖ２０＝−５Ｖの電圧が印加され、Ｇ副電極２８には電圧Ｖ２８＝＋５Ｖの電圧が印加され、Ｇ副電極３０には電圧Ｖ３０＝＋５Ｖの電圧が印加され、緑色粒子集積電極２２には電圧Ｖ２２＝−５Ｖの電圧が印加される。各電圧Ｖ１４〜Ｖ３０はほぼ同時に各電極１４〜３０にそれぞれ印加される。
【００９８】
上記の電圧が各電極１４〜３０に印加されると、画素６内には、ＲＢ粒子分離電極１６から赤色粒子集積電極１４に向かう電界と、Ｂ副電極２４からＢ副電極２６に向かう電界とが発生する。赤色電気泳動粒子１０Ｒは正に帯電している。このため、図１５の図中上段に示すように、赤色電気泳動粒子１０はＲＢ粒子分離電極１６から赤色粒子集積電極１４に向かう電界の方向に加速されて赤色粒子集積電極１４に集積される。また、青色電気泳動粒子１０Ｂは負に帯電している。このため、図１５の図中上段に示すように、青色電気泳動粒子１０ＢはＢ副電極２４からＢ副電極２６に向かう電界の方向とは逆方向に加速されてＢ副電極２４に集積される。
【００９９】
一方、Ｇ副電極２８及びＧ副電極３０に印加される電圧は＋５Ｖであるため、Ｇ副電極２８とＧ副電極３０との電位差は０Ｖとなって緑色粒子保持領域６Ｇに電界は生じない。このため、緑色電気泳動粒子１０Ｇはそれまでの広がりを維持したまま緑色粒子保持領域６Ｇ内に保持される。
【０１００】
赤色電気泳動粒子１０Ｒは赤色粒子集積電極１４に集積され、青色電気泳動粒子１０ＢはＢ副電極２４に集積されるため、赤色粒子保持領域６Ｒ及び青色粒子保持領域６Ｂは透明状態となる。これに対し、緑色電気泳動粒子１０Ｇは緑色粒子保持領域６Ｇに広がって保持されている。これにより、電気泳動表示装置１の表示画面は緑色単色の表示状態となる。
【０１０１】
図１６に示すように、表示画面を白色表示から青色表示に変更する場合には、図７に示す電圧を各電極１４〜３０にそれぞれ印加して表示画面を白色表示とした後に、赤色粒子集積電極１４には電圧Ｖ１４＝−１０Ｖの電圧が印加され、ＲＢ粒子分離電極１６には電圧Ｖ１６＝−５Ｖの電圧が印加され、Ｂ副電極２４には電圧Ｖ２４＝５Ｖの電圧が印加され、Ｂ副電極２６には電圧Ｖ２６＝＋５Ｖの電圧が印加され、ＢＧ粒子分離電極２０には電圧Ｖ２０＝−５Ｖの電圧が印加され、Ｇ副電極２８には電圧Ｖ２８＝０Ｖの電圧が印加され、Ｇ副電極３０には電圧Ｖ３０＝＋５Ｖの電圧が印加され、緑色粒子集積電極２２には電圧Ｖ２２＝−５Ｖの電圧が印加される。各電圧Ｖ１４〜Ｖ３０はほぼ同時に各電極１４〜３０にそれぞれ印加される。
【０１０２】
上記の電圧が各電極１４〜３０に印加されると、画素６内には、ＲＢ粒子分離電極１６から赤色粒子集積電極１４に向かう電界と、Ｇ副電極３０からＧ副電極２８に向かう電界とが発生する。赤色電気泳動粒子１０Ｒは正に帯電している。このため、図１６の図中上段に示すように、赤色電気泳動粒子１０はＲＢ粒子分離電極１６から赤色粒子集積電極１４に向かう電界の方向に加速されて赤色粒子集積電極１４に集積される。また、緑色電気泳動粒子１０Ｇは負に帯電している。このため、図１６の図中上段に示すように、緑色電気泳動粒子１０ＧはＧ副電極３０からＧ副電極２８に向かう電界の方向とは逆方向に加速されてＧ副電極３０に集積される。
【０１０３】
一方、Ｂ副電極２４及びＢ副電極２６に印加される電圧は＋５Ｖであるため、Ｂ副電極２４とＢ副電極２６との電位差は０Ｖとなって青色粒子保持領域６Ｂに電界は生じない。このため、青色電気泳動粒子１０Ｂはそれまでの広がりを維持したまま青色粒子保持領域６Ｂ内に保持される。
【０１０４】
赤色電気泳動粒子１０Ｒは赤色粒子集積電極１４に集積され、緑色電気泳動粒子１０ＧはＧ副電極３０に集積されるため、赤色粒子保持領域６Ｒ及び緑色粒子保持領域６Ｇは透明状態となる。これに対し、青色電気泳動粒子１０Ｂは青色粒子保持領域６Ｂに広がって保持されている。これにより、電気泳動表示装置１の表示画面は青色単色の表示状態となる。
【０１０５】
次に、電気泳動表示装置１の同一色の表示領域を異なる表示状態とする動作例について図１７を用いて説明する。なお、図１７では、電気泳動表示装置１に備えられた全画素のうちの２つの画素６、３２を例にとって説明する。図１７は、隣接する画素６、３２内の青色粒子保持領域６Ｂのそれぞれの表示状態を異ならせる動作例を説明する図である。図１７のそれぞれにおいて、上段に画素６、３２の概略の断面を示し、下段に各電極１４〜３０に印加される電圧の電圧値を示している。図１７の下段の横軸は上段に図示された各電極１４〜３０の表示位置を表し、縦軸は電圧値を表している。
【０１０６】
図１７に示すように、画素６内の赤色粒子集積電極１４には電圧Ｖ１４＝−５Ｖの電圧が印加され、ＲＢ粒子分離電極１６には電圧Ｖ１６＝−５Ｖの電圧が印加され、Ｂ副電極２４には電圧Ｖ２４＝＋５Ｖの電圧が印加され、Ｂ副電極２６には電圧Ｖ２６＝０Ｖの電圧が印加され、ＢＧ粒子分離電極２０には電圧Ｖ２０＝−５Ｖの電圧が印加され、Ｇ副電極２８には電圧Ｖ２８＝０Ｖの電圧が印加され、Ｇ副電極３０には電圧Ｖ３０＝＋５Ｖの電圧が印加される。また、画素６及び画素３２を跨いで配置される緑色粒子集積電極２２には電圧Ｖ２２＝−５Ｖの電圧が印加される。さらに、画素３２内のＧ副電極３０には電圧Ｖ３０＝＋５Ｖの電圧が印加され、Ｇ副電極２８には電圧Ｖ２８＝０Ｖの電圧が印加され、ＢＧ粒子分離電極２０には電圧Ｖ２０＝−５Ｖの電圧が印加され、Ｂ副電極２６には電圧Ｖ２６＝＋５Ｖの電圧が印加され、Ｂ副電極２４には電圧Ｖ２４＝＋５Ｖの電圧が印加され、ＲＢ粒子分離電極１６には電圧Ｖ１６＝−５Ｖの電圧が印加され、赤色粒子集積電極１４には電圧Ｖ１４＝−５Ｖの電圧が印加される。各電圧Ｖ１４〜Ｖ３０はほぼ同時に各電極１４〜３０にそれぞれ印加される。
【０１０７】
上記の電圧が各電極１４〜３０に印加されると、画素６内には、Ｂ副電極２４からＢ副電極２６に向かう電界と、Ｇ副電極３０からＧ副電極２８に向かう電界が発生する。青色電気泳動粒子１０Ｂ及び緑色電気泳動粒子１０Ｇは負に帯電している。このため、図１７の図中上段に示すように、青色電気泳動粒子１０ＢはＢ副電極２４からＢ副電極２６に向かう電界の方向とは逆方向に加速されてＢ副電極２４に集積される。また、緑色電気泳動粒子１０ＧはＧ副電極３０からＧ副電極２８に向かう電界の方向とは逆方向に加速されてＧ副電極３０に集積される。一方、赤色粒子集積電極１４及びＲＢ粒子分離電極１６に印加される電圧は−５Ｖであるため、赤色粒子集積電極１４とＲＢ粒子分離電極１６との電位差は０Ｖとなって赤色粒子保持領域６Ｒに電界は生じない。このため、赤色電気泳動粒子１０Ｒはそれまでの広がりを維持したまま赤色粒子保持領域６Ｒ内に保持される。
【０１０８】
また、画素３２内には、Ｇ副電極３０からＧ副電極２８に向かう電界とが発生する。このため、図１７の図中上段に示すように、緑色電気泳動粒子１０ＧはＧ副電極３０からＧ副電極２８に向かう電界の方向とは逆方向に加速されてＧ副電極３０に集積される。一方、Ｂ副電極２４及びＢ副電極２６に印加される電圧は＋５Ｖであるため、Ｂ副電極２４とＢ副電極２６との電位差は０Ｖとなって青色粒子保持領域６Ｂに電界は生じない。このため、青色電気泳動粒子１０Ｂはそれまでの広がりを維持したまま青色粒子保持領域６Ｂ内に保持される。また、赤色粒子集積電極１４及びＲＢ粒子分離電極１６に印加される電圧は−５Ｖであるため、赤色粒子集積電極１４とＲＢ粒子分離電極１６との電位差は０Ｖとなって赤色粒子保持領域６Ｒに電界は生じない。このため、赤色電気泳動粒子１０Ｒはそれまでの広がりを維持したまま赤色粒子保持領域６Ｒ内に保持される。
【０１０９】
画素６内では、青色電気泳動粒子１０ＢはＢ副電極２４に集積され、緑色電気泳動粒子１０ＧはＧ副電極３０に集積されるため、青色粒子保持領域６Ｂ及び緑色粒子保持領域６Ｇは透明状態となる。これに対し、赤色電気泳動粒子１０Ｒは赤色粒子保持領域６Ｒに広がって保持されている。これにより、画素６は赤色の表示状態となる。一方、画素３２では、緑色電気泳動粒子１０ＧはＧ副電極３０に集積されるため、緑色粒子保持領域６Ｇは透明状態となる。これに対し、赤色電気泳動粒子１０Ｒは赤色粒子保持領域６Ｒに広がって保持され、青色電気泳動粒子１０Ｂは青色粒子保持領域６Ｂに広がって保持されている。これにより、画素３２は紫色の表示状態となる。
【０１１０】
次に、電気泳動表示装置１の画素配列について図１８を用いて説明する。図１８は、電気泳動表示装置１の表示画面の一部を模式的に示す図である。図１８（ａ）は、緑色粒子集積電極２２等が形成された電極形成面側から見た基板４の一部を模式的に示している。図１８（ｂ）は、赤色粒子集積電極１４が形成された電極形成面側から見た基板２の一部を模式的に示している。図１８（ａ）及び図１８（ｂ）では、理解を容易にするため、赤色粒子保持領域６Ｒ、緑色粒子保持領域６Ｇ及び青色粒子保持領域６Ｂが破線で表されている。
【０１１１】
図１８（ａ）に示すように、緑色粒子集積電極２２は、行方向（図中左右方向）に形成された幹部２２ａと、緑色粒子保持領域６Ｇが隣接する領域で幹部２２ａから枝分かれし、隣接する緑色粒子保持領域６Ｇ間に延伸して形成された枝部２２ｂとを有している。幹部２２ａは、列方向（図中上下方向）に並ぶ画素間に配置されている。Ｂ副電極２６及びＧ副電極３０は、幹部２２ａにほぼ平行に延伸して形成された幹部１８で接続されている。幹部１８は、幹部２２ａと並列して列方向に並ぶ画素間に配置されている。本実施の形態では、Ｂ副電極２６（枝部）及びＧ副電極３０（枝部）は、幹部１８で接続されているが、幹部１８で接続されずに独立して形成されていてももちろんよい。ＲＢ粒子分離電極１６、ＢＧ粒子分離電極２０、Ｂ副電極２４及びＧ副電極２８はそれぞれ、列方向に延伸して形成されている。
【０１１２】
ＲＢ粒子分離電極１６、ＢＧ粒子分離電極２０、枝部２２ｂ、Ｂ副電極２６、２４及びＧ副電極２８、３０は同一層に形成されている。幹部２２ａ及び幹部１８は同一層に形成されている。幹部２２ａ及び幹部１８は枝部２２ｂ等の形成された層とは異なる層に形成されている。電気泳動表示装置１は、基板４上に幹部２２ａ及び幹部１８が形成され、幹部２２ａ及び幹部１８上に絶縁層（不図示）が形成され、当該絶縁層上に枝部２２ｂ、ＲＢ粒子分離電極１６、ＢＧ粒子分離電極２０、Ｂ副電極２４、２６及びＧ副電極２８、３０が形成された構造を有している。幹部２２ａ及び枝部２２ｂは当該絶縁層に形成されたコンタクトホール（不図示）を介して電気的に接続されている。Ｂ副電極２６及びＧ副電極３０と幹部１８とは当該絶縁層に形成されたコンタクトホール（不図示）を介して電気的に接続されている。なお、図１、図３から図７、図１４から図１７及び後述の図２０では、幹部２２ａ、幹部１８及び当該絶縁層の図示は省略されている。
【０１１３】
図１８（ｂ）に示すように、赤色粒子集積電極１４は、行方向（図中左右方向）に延伸して形成された幹部１４ａと、赤色粒子保持領域６Ｒが隣接する領域で幹部１４ａから枝分かれし、隣接する赤色粒子保持領域６Ｒ間に延伸して形成された枝部１４ｂとを有している。幹部１４ａは、列方向（図中上下方向）に並ぶ画素間に配置されている。幹部１４ａは枝部１４ｂの形成された層とは異なる層に形成されている。電気泳動表示装置１は、基板２上に幹部１４ａが形成され、幹部１４ａ上に絶縁層（不図示）が形成され、当該絶縁層上に枝部１４ｂが形成された構造を有している。幹部１４ａ及び枝部１４ｂは当該絶縁層に形成されたコンタクトホール（不図示）を介して電気的に接続されている。なお、図１、図３から図７、図１４から図１７及び後述の図２０では、幹部１４ａ及び当該絶縁層の図示は省略されている。
【０１１４】
次に、本実施の形態による電気泳動表示装置１の画素配列の変形例について図１９を用いて説明する。図１９は、緑色粒子集積電極２２等が形成された電極形成面側から見た基板４の一部を模式的に示している。図１９では、理解を容易にするため、赤色粒子保持領域６Ｒ、緑色粒子保持領域６Ｇ及び青色粒子保持領域６Ｂが破線で表されている。以下、本変形例における画素配列について、図１８に示す画素配列と異なる点のみを簡述する。
【０１１５】
本変形例における画素配列は、幹部２２ａ及び枝部２２ｂが不図示の絶縁層の下層であって基板４上に形成されている点に特徴を有している。Ｇ副電極３０は当該絶縁層上に形成されている。Ｇ副電極３０と枝部２２ｂとは、異なる層に形成されているので、層間短絡が生じない限り互いに接触しない。このため、図１９に示すように、基板４の電極形成面側から見て、枝部２２ｂとＧ副電極３０との間の電極間幅を実質的に０にすることが可能になる。また、基板４の電極形成面側から見て、枝部２２ｂの一部とＧ副電極２８の一部とが重なるように配置することもできる。このように、本変形例による電気泳動表示装置１では、枝部２２ｂとＧ副電極３０との間に所定の間隙を設ける必要がない。このため、本変形例による電気泳動表示装置１は、１画素のサイズをより小さく形成できるので高解像度化を図ることができる。
【０１１６】
次に、本実施の形態の変形例による電気泳動表示装置について図２０を用いて説明する。図２０は、本変形例による電気泳動表示装置３の概略構成を示す断面図である。本変形例による電気泳動表示装置３は、赤色粒子保持領域６Ｒのほぼ中央に赤色粒子集積補助電極３４を備えている点に特徴を有している。なお、電気泳動表示装置１と同様の作用・機能を奏する構成要素には同一の符号を付して、その説明は省略し、電気泳動表示装置３と電気泳動表示装置１とで異なる点のみを簡述する。
【０１１７】
図２０に示すように、本変形例による電気泳動表示装置３は、赤色粒子保持領域６Ｒのほぼ中央に形成された赤色粒子集積補助電極３４を有している。赤色粒子集積補助電極３４は基板２上に形成されている。赤色粒子集積補助電極３４は赤色粒子集積電極１４にほぼ平行に形成されている。赤色粒子集積補助電極３４は赤色粒子集積電極１４と同様の材料で形成されている。赤色粒子集積補助電極３４は赤色電気泳動粒子１０Ｒを赤色粒子集積電極１４により集積し易くするために設けられている。
【０１１８】
図２０に示すように、赤色粒子集積電極１４には−３０Ｖの電圧が印加され、赤色粒子集積補助電極３４には−５Ｖの電圧が印加される。赤色粒子集積補助電極３４はＲＢ粒子分離電極１６よりも赤色粒子集積電極１４の近くに形成されている。このため、当該電圧が赤色粒子集積電極１４及び赤色粒子集積補助電極３４に印加されると、同電圧が赤色粒子集積電極１４及びＲＢ粒子分離電極１６に印加された場合よりも電界強度の強い電界が赤色粒子集積電極１４及び赤色粒子集積補助電極３４間に発生する。このため、正に帯電している赤色電気泳動粒子１０Ｒは、赤色粒子集積補助電極３４が形成されていない場合と比較して、赤色粒子集積電極１４に集積され易くなる。赤色粒子集積補助電極３４は例えばＩＴＯで形成されているため、赤色粒子保持領域６Ｒの中央に形成されていても赤色粒子保持領域６Ｒの開口率を低下させない。電気泳動表示装置３は、赤色粒子集積電極１４への赤色電気泳動粒子１０Ｒの集積を向上できる。これにより、電気泳動表示装置３は、透過率の向上を図ることができる。
【０１１９】
電気泳動表示装置３は、赤色粒子集積電極１４に赤色電気泳動粒子１０Ｒを集積した後に当該赤色粒子集積電極１４の両側に配置された赤色粒子集積補助電極３４のそれぞれに同一の電圧を印加することにより、当該赤色粒子集積電極１４に対して左右対称に赤色電気泳動粒子１０Ｒを拡散することができる。
【０１２０】
以上説明したように、本実施の形態による電気泳動表示装置１は、赤色電気泳動粒子１０Ｒと、緑色電気泳動粒子１０Ｇと、赤色電気泳動粒子１０Ｒを保持する赤色粒子保持領域６Ｒと、緑色電気泳動粒子１０Ｇを保持する緑色粒子保持領域６Ｇと、赤色粒子保持領域６Ｒ及び緑色粒子保持領域６Ｇとを備えた画素６と、画素６の両側に設けられ、赤色電気泳動粒子１０Ｒを集積する赤色粒子集積電極１４及び緑色電気泳動粒子１０Ｇを集積する緑色粒子集積電極２２と、画素６の両側の少なくとも一方に隣接して設けられ、緑色粒子保持領域６Ｇに対して画素６と対称構造を備えた画素３２とを有している。
【０１２１】
当該構成を備えた電気泳動表示装置１によれば、隣接画素間には同一色の粒子保持領域が配置されるので、電気泳動粒子分散工程、電気泳動粒子分離工程及び電気泳動粒子拡散工程において、赤色及び緑色電気泳動粒子１０Ｒ、１０Ｇが隣接画素の両方に移動しても画素間での混色が生じることはない。このため、電気泳動表示装置１は、画素間にリブを設ける必要がないので、光の透過率が向上して高輝度化を図ることができる。さらに、電気泳動表示装置１は、画素間にリブを設ける必要がないので、製造工程の簡略化及び低コスト化を図ることができる。
【０１２２】
また、電気泳動表示装置１は、緑色電気泳動粒子１０Ｇを保持するとともに拡散するＧ副電極２８、３０を緑色粒子保持領域６Ｇに有している。当該構成を備えた電気泳動表示装置１によれば、Ｇ副電極２８、３０間に極性の反転する度にピーク電圧の絶対値が減衰する電圧パルスを印加して緑色粒子保持領域６Ｇに方向の反転する電界を発生させ、緑色電気泳動粒子１０Ｇを緑色粒子保持領域６Ｇに均一に拡散することができる。これにより、電気泳動表示装置１は、コントラストを改善することができ、表示特性の向上を図ることができる。
【０１２３】
〔第２の実施の形態〕
次に、本発明の第２の実施の形態による電気泳動表示装置及びその駆動方法について図２１から図２６を用いて説明する。本実施の形態では、電気泳動を利用して所望の情報（画像）を表示する電気泳動表示装置５を例にとって説明する。図２１は、本実施の形態による電気泳動表示装置５の概略構成を示す断面図である。図５は、表示領域内にマトリクス状に配置された複数の画素のうちの所定の１行に並ぶ２個の画素の断面構成を模式的に示している。なお、上記実施の形態による電気泳動表示装置１と同様の作用・機能を奏する構成要素には同一の符号を付して、その説明は省略する。
【０１２４】
図２１に示すように、本実施の形態による電気泳動表示装置５は、基板２、４の間に封止された複数の赤色電気泳動粒子（第１の色の第１色材）１０Ｒと、複数の緑色電気泳動粒子（第２の色の第２色材）１０Ｇと、複数の青色電気泳動粒子（第３の色の第３色材）１０Ｂとを有している。各電気泳動粒子１０Ｒ、１０Ｇ、１０Ｂはいずれも正に帯電している。また、各電気泳動粒子１０Ｒ、１０Ｇ、１０Ｂはいずれも正のゼータ電位を有している。緑色電気泳動粒子１０Ｇのゼータ電位は青色電気泳動粒子１０Ｂのゼータ電位よりも高く、青色電気泳動粒子１０Ｂのゼータ電位は赤色電気泳動粒子１０Ｒのゼータ電位よりも高くなっている。
【０１２５】
電気泳動表示装置５は、赤色電気泳動粒子１０Ｒを保持する赤色粒子保持領域６Ｒと、緑色電気泳動粒子１０Ｇを保持する緑色粒子保持領域６Ｇとを有している。また、電気泳動表示装置５は、赤色粒子保持領域６Ｒと緑色粒子保持領域６Ｇとの間に備えられ、青色電気泳動粒子１０Ｂを保持する青色粒子保持領域６Ｂを有している。電気泳動表示装置５に備えられた緑色粒子保持領域６Ｇ及び青色粒子保持領域６Ｂは、上記実施の形態による電気泳動表示装置１に備えられた緑色粒子保持領域６Ｇ及び青色粒子保持領域６Ｂと同様の構造を有している。赤色粒子保持領域６Ｒと緑色粒子保持領域６Ｇと青色粒子保持領域６Ｂとで画素６が構成されている。画素６は、赤色粒子保持領域６Ｒと緑色粒子保持領域６Ｇとの間に青色粒子保持領域６Ｂを備えている。
【０１２６】
電気泳動表示装置５は、画素６の両側に隣接して設けられ、赤色電気泳動粒子１０Ｒを集積する赤色粒子集積電極１４を有している。赤色粒子集積電極１４は基板４上に形成されている。
【０１２７】
赤色粒子保持領域６Ｒは、赤色電気泳動粒子１０Ｒを赤色粒子保持領域６Ｒ内に保持するとともに拡散するＲ副電極（色材保持拡散部）３６、３８を有している。Ｒ副電極３６、３８は、赤色粒子保持領域６Ｒ内の両端に形成されている。Ｒ副電極３６、３８は基板４上に形成されている。Ｒ副電極３６は赤色粒子集積電極１４に隣接して形成されている。Ｒ副電極３８は、ＲＢ粒子分離電極１６に隣接して形成されている。Ｒ副電極３６、３８は、赤色粒子集積電極１４と同様の材料で形成されている。
【０１２８】
電気泳動表示装置５は、画素６に隣接して設けられ、緑色粒子集積電極２２に対して画素６と対称構造を備えた画素３２を有している。画素３２は、画素６に隣接して配置された緑色粒子保持領域６Ｇと、当該緑色粒子保持領域６Ｇに隣接して配置された青色粒子保持領域６Ｂと、当該青色粒子保持領域６Ｂに隣接して配置された赤色粒子保持領域６Ｒとを有している。画素３２に備えられた緑色粒子保持領域６Ｇは緑色粒子集積電極２２に対して、画素６に備えられた緑色粒子保持領域６Ｇと対称構造を有し、画素３２に備えられた青色粒子保持領域６Ｂは緑色粒子集積電極２２に対して、画素６に備えられた青色粒子保持領域６Ｂと対称構造を有し、画素３２に備えられた赤色粒子保持領域６Ｒは緑色粒子集積電極２２、画素６に備えられた赤色粒子保持領域６Ｒと対称構造を有している。
【０１２９】
電気泳動表示装置５は、画素６の、画素３２が設けられていない側に隣接して設けられ、赤色粒子集積電極１４に対して画素６と対称構造を備えた画素を有している。図２１には、当該画素に備えられた赤色粒子保持領域６Ｒのみが図示されている。当該画素に備えられた赤色粒子保持領域６Ｒは赤色粒子集積電極１４に対して、画素６に備えられた赤色粒子保持領域６Ｒと対称構造を有している。また、図示は省略するが、当該画素は、当該画素の赤色粒子保持領域６Ｒに隣接して青色粒子保持領域を有し、当該青色粒子保持領域に隣接して緑色粒子保持領域を有している。
【０１３０】
このように、電気泳動表示装置５は、電気泳動表示装置１と同様に、隣り合う画素が互いに対称構造となるように配置されている。したがって、赤色粒子保持領域６Ｒ、緑色粒子保持領域６Ｇ、青色粒子保持領域６Ｂは、「・・・ＲＢＧＧＢＲＲＢＧＧＢＲＲＢＧ・・・」の順に一直線上に並んで配置される。電気泳動表示装置５は、隣り合う画素が互いに対称構造となるように赤色粒子保持領域６Ｒ、緑色粒子保持領域６Ｇ及び青色粒子保持領域６Ｂが並んで各行が構成され、同一色の粒子を保持する保持領域が並んで各列が構成される。これにより、電気泳動表示装置５は、複数の画素がマトリクス状に配置されるとともに、複数の赤色粒子保持領域６Ｒ、緑色粒子保持領域６Ｇ及び青色粒子保持領域６Ｂもマトリクス状に配置される。
【０１３１】
次に、本実施の形態による電気泳動表示装置５の駆動方法であって、電気泳動表示装置５の表示画面を透明状態から白表示状態に変更する際の動作について図２２から図２６を用いて説明する。図２２から図２６は、電気泳動表示装置５の表示画面を白表示にする際に各電極１４〜３８に印加される電圧の電圧値及び画素６内の赤色、緑色、及び青色電気泳動粒子１０Ｒ、１０Ｇ、１０Ｂの状態を模式的に示している。図２２から図２６のそれぞれにおいて、上段に画素６の概略の断面を示し、下段に各電極１４〜３８に印加される電圧の電圧値を示している。図２２から図２６の下段の横軸は上段に図示された各電極１４〜３８の表示位置を表し、縦軸は電圧値を表している。
【０１３２】
本実施の形態による電気泳動表示装置５の駆動方法は、上記実施の形態による電気泳動表示装置１の駆動方法と同様に、画素６内に第１の電界を発生させて、赤色電気泳動粒子１０Ｒと、緑色電気泳動粒子１０Ｇ及び青色電気泳動粒子１０Ｂとを所定の領域に集積する電気泳動粒子集積工程と、画素６内に第２の電界を発生させて、赤色電気泳動粒子１０Ｒ、緑色電気泳動粒子１０Ｇ及び青色電気泳動粒子１０Ｂを画素６内にそれぞれ分散する電気泳動粒子分散工程と、画素６内に第３の電界を発生させて、赤色電気泳動粒子１０Ｒ、緑色電気泳動粒子１０Ｇ及び青色電気泳動粒子１０Ｂを画素６内の異なる領域に分離する電気泳動粒子分離工程と、画素６内に第４の電界を発生させて、赤色電気泳動粒子１０Ｒ、緑色電気泳動粒子１０Ｇ及び青色電気泳動粒子１０Ｂを当該異なる領域に保持する電気泳動粒子保持工程と、画素６内に電界の向きが反転する第５の電界を発生させて、当該異なる領域内で赤色電気泳動粒子１０Ｒ、緑色電気泳動粒子１０Ｇ及び青色電気泳動粒子１０Ｂをそれぞれ拡散する電気泳動粒子拡散工程とを有している。以下、各工程の動作を具体的に説明する。
【０１３３】
本実施の形態による電気泳動表示装置５の駆動方法では、まず電気泳動粒子集積工程が実行される。図２２に示すように電気泳動粒子集積工程では、赤色粒子集積電極１４には−３０Ｖの電圧が印加され、Ｒ副電極３６には０Ｖの電圧が印加され、Ｒ副電極３８には０Ｖの電圧が印加され、ＲＢ粒子分離電極１６には０Ｖの電圧が印加され、Ｂ副電極２４には０Ｖの電圧が印加され、Ｂ副電極２６には０Ｖの電圧が印加され、ＢＧ粒子分離電極２０には０Ｖの電圧が印加され、Ｇ副電極２８には０Ｖの電圧が印加され、Ｇ副電極３０には０Ｖの電圧が印加され、緑色粒子集積電極２２には０Ｖの電圧が印加される。各電圧はほぼ同時に各電極１４〜３８にそれぞれ印加される。各電極１４〜３８への電圧の印加状態は所定時間継続される。
【０１３４】
上記の電圧が各電極１４〜３８に印加されると、画素６内には、緑色粒子集積電極２２から赤色粒子集積電極１４に向かう電界（第１の電界）が発生する。赤色電気泳動粒子１０Ｒ、緑色電気泳動粒子１０Ｇ及び青色電気泳動粒子１０Ｂはいずれも、正に帯電しているため当該電界の方向と同方向に移動して赤色粒子集積電極１４に集積される。本実施の形態による電気泳動表示装置５では、赤色粒子集積電極１４は電気泳動粒子集積工程における緑色及び青色電気泳動粒子１０Ｇ、１０Ｂの集積用電極としての機能も発揮するようになっている。
【０１３５】
図２２に示すように、電気泳動粒子集積工程が終了すると、赤色、緑色及び青色電気泳動粒子１０Ｒ、１０Ｇ、１０Ｂは赤色粒子集積電極１４近傍に集積され、画素６内の残余の領域には存在しなくなる。これにより、電気泳動表示装置５は透明状態となる。電気泳動表示装置５が基板２の下方に例えば黒色板を有していると、電気泳動表示装置５の表示画面は黒表示状態となる。
【０１３６】
電気泳動粒子集積工程が終了すると、次に電気泳動粒子分散工程が実行される。図２３に示すように電気泳動粒子集積工程では、例えば赤色粒子集積電極１４には＋３０Ｖの電圧が印加され、Ｒ副電極３６には０Ｖの電圧が印加され、Ｒ副電極３８には０Ｖの電圧が印加され、ＲＢ粒子分離電極１６には０Ｖの電圧が印加され、Ｂ副電極２４には０Ｖの電圧が印加され、Ｂ副電極２６には０Ｖの電圧が印加され、ＢＧ粒子分離電極２０には０Ｖの電圧が印加され、Ｇ副電極２８には０Ｖの電圧が印加され、Ｇ副電極３０には０Ｖの電圧が印加され、緑色粒子集積電極２２には−３０Ｖの電圧が印加される。各電圧はほぼ同時に各電極１４〜３８にそれぞれ印加される。各電極１４〜３８への電圧の印加状態は所定時間継続される。
【０１３７】
上記の電圧が各電極１４〜３８に印加されると、画素６内には、赤色粒子集積電極１４から緑色粒子集積電極２２に向かう電界（第２の電界）が発生する。赤色、緑色及び青色電気泳動粒子１０Ｒ、１０Ｇ、１０Ｂは、正に帯電しているため、赤色粒子集積電極１４から緑色粒子集積電極２２に向かう電界の方向に加速され、図２３上段の図中に直線矢印で示すように、緑色粒子保持領域６Ｇ側に移動する。本実施の形態では、緑色電気泳動粒子１０Ｇ、青色電気泳動粒子１０Ｂ及び赤色電気泳動粒子１０Ｒは、この順にゼータ電位が高くなっている。また、緑色電気泳動粒子１０Ｇの電気泳動移動度は青色電気泳動粒子１０Ｂの電気泳動移動度よりも高く、青色電気泳動粒子１０Ｂの電気泳動移動度は赤色電気泳動粒子１０Ｒの電気泳動移動度よりも高くなっている。このため、電気泳動移動度の最も高い緑色電気泳動粒子１０Ｇは、赤色及び青色電気泳動粒子１０Ｒ、１０Ｂよりも優先的に緑色粒子集積電極２２に引き寄せられる。電気泳動移動度がその次に高い青色電気泳動粒子１０Ｂは、赤色電気泳動粒子１０Ｒよりも優先的に緑色粒子集積電極２２に引き寄せられる。このように、本実施の形態による電気泳動表示装置１の駆動方法では、赤色、緑色及び青色電気泳動粒子１０Ｒ、１０Ｇ、１０Ｂの電気泳動移動度の差を利用して、図２３の上段に示すように、赤色電気泳動粒子１０Ｒ、青色電気泳動粒子１０Ｂ及び緑色電気泳動粒子１０Ｇは、画素６内の異なる領域（本例では、赤色粒子保持領域６Ｒ、青色粒子保持領域６Ｂ及び緑色粒子保持領域６Ｇ）に分散するようになっている。
【０１３８】
電気泳動粒子分散工程が終了すると、次に電気泳動粒子分離工程が実行される。図２４に示すように電気泳動粒子分離工程では、例えば赤色粒子集積電極１４には＋３０Ｖの電圧が印加され、Ｒ副電極３６には０Ｖの電圧が印加され、Ｒ副電極３８には０Ｖの電圧が印加され、ＲＢ粒子分離電極１６には＋３０Ｖの電圧が印加され、Ｂ副電極２４には０Ｖの電圧が印加され、Ｂ副電極２６には０Ｖの電圧が印加され、ＢＧ粒子分離電極２０には＋３０Ｖの電圧が印加され、Ｇ副電極２８には０Ｖの電圧が印加され、Ｇ副電極３０には０Ｖの電圧が印加され、緑色粒子集積電極２２には＋３０Ｖの電圧が印加される。各電圧はほぼ同時に各電極１４〜３８にそれぞれ印加される。各電極１４〜３８への電圧の印加状態は所定時間継続される。
【０１３９】
電気泳動粒子分離工程において、赤色粒子集積電極１４に＋３０Ｖの電圧が印加され、Ｒ副電極３６に０Ｖの電圧が印加され、ＲＢ粒子分離電極１６に＋３０Ｖの電圧が印加され、Ｒ副電極３８に０Ｖの電圧が印加されると、画素６の赤色粒子保持領域６Ｒ内には、赤色粒子集積電極１４からＲ副電極３６に向かう電界（第３の電界）が発生し、ＲＢ粒子分離電極１６からＲ副電極３８に向かう電界（第３の電界）が発生する。当該電界は正に帯電している赤色電気泳動粒子１０Ｒに斥力を加える。図２４の上段に曲線矢印で示すように、赤色電気泳動粒子１０Ｒは、赤色粒子保持領域６Ｒの両端から斥力を受けるため、赤色粒子保持領域６Ｒ内に滞留する。
【０１４０】
また、電気泳動粒子分離工程において、ＲＢ粒子分離電極１６に＋３０Ｖの電圧が印加され、Ｂ副電極２４に０Ｖの電圧が印加され、ＢＧ粒子分離電極２０に＋３０Ｖの電圧が印加され、Ｂ副電極２６に０Ｖの電圧が印加されると、画素６の青色粒子保持領域６Ｂ内には、ＲＢ粒子分離電極１６からＢ副電極２４に向かう電界（第３の電界）が発生し、ＢＧ粒子分離電極２０からＢ副電極２６に向かう電界（第３の電界）が発生する。当該電界は正に帯電している青色電気泳動粒子１０Ｂに斥力を加える。図２４の上段に曲線矢印で示すように、青色電気泳動粒子１０Ｂは、青色粒子保持領域６Ｂの両端から斥力を受けるため、青色粒子保持領域６Ｂ内に滞留する。
【０１４１】
さらに、電気泳動粒子分離工程において、ＢＧ粒子分離電極２０に＋３０Ｖの電圧が印加され、Ｇ副電極２８に０Ｖの電圧が印加され、緑色粒子集積電極２２に＋３０Ｖの電圧が印加され、Ｇ副電極３０に０Ｖの電圧が印加されると、画素６の緑色粒子保持領域６Ｇ内には、ＢＧ粒子分離電極２０からＧ副電極２８に向かう電界（第３の電界）が発生し、緑色粒子集積電極２２からＧ副電極３０に向かう電界（第３の電界）が発生する。当該電界は正に帯電している緑色電気泳動粒子１０Ｇに斥力を加える。図２４の上段に曲線矢印で示すように、緑色電気泳動粒子１０Ｇは、緑色粒子保持領域６Ｇの両端から斥力を受けるため、緑色粒子保持領域６Ｇ内に滞留する。
【０１４２】
このように、電気泳動粒子分離工程において、赤色電気泳動粒子１０Ｒは赤色粒子保持領域６Ｒに滞留し、緑色電気泳動粒子１０Ｇは緑色粒子保持領域６Ｇに滞留し、青色電気泳動粒子１０Ｂは青色粒子保持領域６Ｂに滞留するので、電気泳動表示装置５は、赤色電気泳動粒子１０Ｒ、緑色電気泳動粒子１０Ｇ及び青色粒子保持領域６Ｂを画素６内の異なる領域に分離することができる。
【０１４３】
電気泳動粒子分離工程が実行されて所定時間の経過後に、赤色電気泳動粒子１０Ｒ、緑色電気泳動粒子１０Ｇ及び青色電気泳動粒子１０Ｂがそれぞれ、赤色粒子保持領域６Ｒ内、緑色粒子保持領域６Ｇ内及び青色粒子保持領域６Ｂ内である程度均一に分散したら、次に電気泳動粒子保持工程が実行される。図２５に示すように電気泳動粒子保持工程では、例えば赤色粒子集積電極１４には＋５Ｖの電圧が印加され、Ｒ副電極３６には０Ｖの電圧が印加され、Ｒ副電極３８には０Ｖの電圧が印加され、ＲＢ粒子分離電極１６には＋５Ｖの電圧が印加され、Ｂ副電極２４には０Ｖの電圧が印加され、Ｂ副電極２６には０Ｖの電圧が印加され、ＢＧ粒子分離電極２０には＋５Ｖの電圧が印加され、Ｇ副電極２８には０Ｖの電圧が印加され、Ｇ副電極３０には０Ｖの電圧が印加され、緑色粒子集積電極２２には＋５Ｖの電圧が印加される。各電圧はほぼ同時に各電極１４〜３８にそれぞれ印加される。各電極１４〜３８への電圧の印加状態は所定時間継続される。
【０１４４】
電気泳動粒子分離工程における赤色粒子集積電極１４とＲ副電極３６との電位差の絶対値は３０Ｖであるのに対し、電気泳動粒子保持工程における当該電位差は５Ｖである。また、電気泳動粒子分離工程におけるＲＢ粒子分離電極１６とＲ副電極３８との電位差の絶対値は３０Ｖであるのに対し、電気泳動粒子保持工程における当該電位差は５Ｖである。このため、画素６の赤色粒子保持領域６Ｒ内に生じる電界（第４の電界）の強さは弱くなる。電気泳動粒子保持工程における赤色電気泳動粒子１０Ｒにそれぞれ加えられる斥力は、電気泳動粒子分離工程における当該斥力より弱くなる。これにより、赤色電気泳動粒子１０Ｒは、赤色粒子保持領域６Ｒの両端側から内側に向かって移動し難くなる。このため、赤色電気泳動粒子１０Ｒは、電気泳動粒子分離工程が終了した時点での広がりを維持したまま赤色粒子保持領域６Ｒ内に保持される。同様の理由により、青色電気泳動粒子１０Ｂは、電気泳動粒子分離工程が終了した時点での広がりを維持したまま青色粒子保持領域６Ｂ内に保持される。同様の理由により、緑色電気泳動粒子１０Ｇは、電気泳動粒子分離工程が終了した時点での広がりを維持したまま緑色粒子保持領域６Ｇ内に保持される。
【０１４５】
電気泳動粒子保持工程が終了すると、次に電気泳動粒子拡散工程が実行される。図示は省略するが、電気泳動表示装置５における電気泳動粒子拡散工程では例えば、Ｒ副電極３６近傍に赤色電気泳動粒子１０Ｒを集積し、Ｂ副電極２４近傍に青色電気泳動粒子１０Ｂを集積し、Ｇ副電極２８近傍に緑色電気泳動粒子１０Ｇを集積し、その後図８に示すのと同様の極性反転する電圧パルスを、Ｒ副電極３６及びＲ副電極３８間、Ｂ副電極２４及びＲ副電極２６間及びＧ副電極２８及びＲ副電極３０間にそれぞれ印加する。これにより、図２６の上段に示すように、赤色電気泳動粒子１０Ｒは赤色粒子保持領域６Ｒ内の基板４側でほぼ均一に拡散する。同様に、図２６の上段に示すように、青色電気泳動粒子１０Ｂは、青色粒子保持領域６Ｂ内の基板４側でほぼ均一に拡散する。同様に、図２６の上段に示すように、緑色電気泳動粒子１０Ｇは、緑色粒子保持領域６Ｇ内の基板４側でほぼ均一に拡散する。
【０１４６】
極性反転する電圧パルスの印加が終了したら、図２６の下段に示すように、例えば赤色粒子集積電極１４には＋５Ｖの電圧が印加され、Ｒ副電極３６には０Ｖの電圧が印加され、Ｒ副電極３８には０Ｖの電圧が印加され、ＲＢ粒子分離電極１６には＋５Ｖの電圧が印加され、Ｂ副電極２４には０Ｖの電圧が印加され、Ｂ副電極２６には０Ｖの電圧が印加され、ＢＧ粒子分離電極２０には＋５Ｖの電圧が印加され、Ｇ副電極２８には０Ｖの電圧が印加され、Ｇ副電極３０には０Ｖの電圧が印加され、緑色粒子集積電極２２には＋５Ｖの電圧が印加される。各電圧はほぼ同時に各電極１４〜３８にそれぞれ印加される。各電極１４〜３８への電圧の印加状態は所定時間継続される。赤色電気泳動粒子１０Ｒ、青色電気泳動粒子１０Ｂ及び緑色電気泳動粒子１０Ｇにそれぞれ加えられる斥力は、電気泳動粒子保持工程における当該斥力とほぼ同一となる。これにより、赤色電気泳動粒子１０Ｒは赤色粒子保持領域６Ｒ内に、青色電気泳動粒子１０Ｂは青色粒子保持領域６Ｂ内に、緑色電気泳動粒子１０Ｇは緑色粒子保持領域６Ｇ内に、電圧パルスの印加が終了した時点での広がりを維持したまま保持される。このように、赤色電気泳動粒子１０Ｒと青色電気泳動粒子１０Ｂと緑色電気泳動粒子１０Ｇとは、画素６内であって基板２、４の面内方向にほぼ均一に拡散する。これにより、電気泳動表示装置５の表示画面は白表示状態となる。
【０１４７】
以上説明したように、本実施の形態による電気泳動表示装置５は、赤色電気泳動粒子１０Ｒと、緑色電気泳動粒子１０Ｇと、赤色電気泳動粒子１０Ｒを保持する赤色粒子保持領域６Ｒと、緑色電気泳動粒子１０Ｇを保持する緑色粒子保持領域６Ｇと、赤色粒子保持領域６Ｒ及び緑色粒子保持領域６Ｇとを備えた画素６と、画素６の両側に設けられ、赤色電気泳動粒子１０Ｒを集積する赤色粒子集積電極１４及び緑色電気泳動粒子１０Ｇを集積する緑色粒子集積電極２２と、画素６の両側の少なくとも一方に隣接して設けられ、緑色粒子保持領域６Ｇに対して画素６と対称構造を備えた画素３２とを有している。
【０１４８】
さらに、電気泳動表示装置５は、赤色電気泳動粒子１０Ｒを保持するとともに拡散するＲ副電極３６、３８を赤色粒子保持領域６Ｒに有し、緑色電気泳動粒子１０Ｇを保持するとともに拡散するＧ副電極２８、３０を緑色粒子保持領域６Ｇに有している。
【０１４９】
これにより、電気泳動表示装置５は、上記第１の実施の形態による電気泳動表示装置１と同様の効果が得られる。
【０１５０】
〔第３の実施の形態〕
本発明の第３の実施の形態による表示装置及びその駆動方法について、図２７及び図２８を用いて説明する。本実施の形態では、電気泳動を利用して所望の情報（画像）を表示する電気泳動表示装置５１を例にとって説明する。図２７及び図２８は、本実施の形態による電気泳動表示装置５１の概略構成を示す断面図である。図２７及び図２８は、表示領域内にマトリクス状に配置された複数の画素のうちの所定の１列中の画素５６の断面構成を模式的に示している。図２７に示すように、電気泳動表示装置５１は、所定の間隔を設けて対向配置された一対の基板５２、５４を有している。基板５２、５４は、透明絶縁性材料で形成されている。例えば基板５２、５４は、アクリル系樹脂で形成されている。両基板５２、５４は、基板端部近傍の周囲に形成された封止壁６２で貼り合わされている。電気泳動表示装置５１は基板５４側が表示面である。
【０１５１】
基板５２、５４間には、複数のシアン色電気泳動粒子（第１の色の第１色材）６０Ｃと、複数の黒色電気泳動粒子（第２の色の第２色材）６０Ｋと、複数のマゼンタ色電気泳動粒子（第３の色の第３色材）６０Ｍと、複数のイエロー色電気泳動粒子（第４の色の第４色材）６０Ｙと、各電気泳動粒子６０Ｃ、６０Ｍ、６０Ｙ、６０Ｋを分散させる液相分散媒５８とが封止されている。電気泳動表示装置１は、基板５２、５４間に封止された複数（本例では４つ）の異なる色の電気泳動粒子を有している。シアン色電気泳動粒子６０Ｃの顔料としては、銅フタロシアニン化合物及びその誘導体、アンスラキノン化合物、塩基染料レーキ化合物等が利用できる。マゼンタ色電気泳動粒子６０Ｍの顔料としては、例えば、縮合アゾ化合物、ジケトピロロピロール化合物、アンスラキノン、キナクリドン化合物、塩基染料レーキ化合物、ナフトール化合物、ベンズイミダゾロン化合物、チオインジゴ化合物、ペリレン化合物が用いられる。イエロー色電気泳動粒子６０Ｙの顔料としては、例えば、縮合アゾ化合物、イソインドリノン化合物、アンスラキノン化合物、アゾ金属錯体、メチン化合物、アリルアミド化合物に代表される化合物が用いられる。また、各電気泳動粒子６０Ｃ、６０Ｍ、６０Ｙに対する染料としては、カラー染料であるアゾ染料、アントラキノン系染料、インジゴ系染料、フタロシアニン系染料、カルボニウム染料、キノンイミン染料、メチン染料、キノリン染料、ニトロ染料、ベンゾキノン染料、ナフトキノン染料、ナフタルイミド染料、ベリノン染料などが挙げられる。黒色電気泳動粒子６０Ｋの顔料としては、ブロンズ粉、チタンブラック、各種カーボンブラック（チャネルブラック、ファーネスブラック等）に代表される化合物が用いられ、染料としては、ニグロシン系染料などが用いられる。
【０１５２】
シアン色電気泳動粒子６０Ｃ、マゼンタ色電気泳動粒子６０Ｍ、イエロー色電気泳動粒子６０Ｙ及び黒色電気泳動粒子６０Ｋは、互いに同極性に帯電している。シアン色電気泳動粒子６０Ｃ、マゼンタ色電気泳動粒子６０Ｍ、イエロー色電気泳動粒子６０Ｙ及び黒色電気泳動粒子６０Ｋは正に帯電している。シアン色電気泳動粒子６０Ｃ、マゼンタ色電気泳動粒子６０Ｍ、イエロー色電気泳動粒子６０Ｙ及び黒色電気泳動粒子６０Ｋは、正のゼータ電位を有している。黒色電気泳動粒子６０Ｋのゼータ電位はイエロー色電気泳動粒子６０Ｙのゼータ電位よりも高く、イエロー色電気泳動粒子６０Ｙのゼータ電位はマゼンタ色電気泳動粒子６０Ｍのゼータ電位よりも高く、マゼンタ色電気泳動粒子６０Ｍはシアン色電気泳動粒子６０Ｃのゼータ電位よりも高くなっている。
【０１５３】
電気泳動表示装置５１は、シアン色電気泳動粒子６０Ｃを保持するシアン色粒子保持領域（第１色材保持領域）５６Ｃと、マゼンタ色電気泳動粒子６０Ｍを保持するマゼンタ色粒子保持領域（第３色材保持領域）５６Ｍと、イエロー色電気泳動粒子６０Ｙを保持するイエロー色粒子保持領域（第４色材保持領域）５６Ｙと、黒色電気泳動粒子１６Ｋを保持する黒色粒子保持領域（第２色材保持領域）５６Ｋとを有して構成されている。シアン色粒子保持領域５６Ｃと、マゼンタ色粒子保持領域５６Ｍと、イエロー色粒子保持領域５６Ｙと、黒色粒子保持領域５６Ｋとは、図中左側からこの順で並べられている。マゼンタ色粒子保持領域５６Ｍはシアン色粒子保持領域５６Ｃに隣接して設けられ、イエロー色電気泳動粒子６０Ｙは黒色電気泳動粒子５６Ｋに隣接して設けられている。更に、マゼンタ色粒子保持領域５６Ｍは、イエロー色粒子保持領域５６Ｙに隣接して設けられている。シアン色粒子保持領域５６Ｃと、マゼンタ色粒子保持領域５６Ｍと、イエロー色粒子保持領域５６Ｙと、黒色粒子保持領域５６Ｋとで画素（第１画素）５６が構成されている。シアン色粒子保持領域５６Ｃは画素５６のサブ画素としての機能を発揮し、マゼンタ色粒子保持領域５６Ｍは画素５６のサブ画素としての機能を発揮し、イエロー色粒子保持領域５６Ｙは画素５６のサブ画素としての機能を発揮し、黒色粒子保持領域５６Ｋは画素５６のサブ画素としての機能を発揮するようになっている。
【０１５４】
電気泳動表示装置５１は、画素５６の両側に設けられ、少なくともシアン色電気泳動粒子６０Ｃを集積するシアン色粒子集積電極（色材集積部）６４と、必要に応じて黒色電気泳動粒子６０Ｋを集積する黒色粒子集積電極（色材集積部）７２とを有している。シアン色粒子集積電極６４及び黒色粒子集積電極７２は基板５４上に形成されている。
【０１５５】
電気泳動表示装置５１は、画素５６に設けられ、シアン色粒子保持領域５６Ｃとマゼンタ色粒子保持領域５６Ｍとの間に形成されたＣＭ粒子分離電極６６を有している。ＣＭ粒子分離電極６６は、シアン色電気泳動粒子６０Ｃがマゼンタ色粒子保持領域５６Ｍに進入するのを防止し、マゼンタ色電気泳動粒子６０Ｍがシアン色粒子保持領域５６Ｃに進入するのを防止するために設けられている。ＣＭ粒子分離電極６６は基板５４上に形成されている。
【０１５６】
電気泳動表示装置５１は、画素５６に設けられ、マゼンタ色粒子保持領域５６Ｍとイエロー色粒子保持領域５６Ｙとの間に形成されたＭＹ粒子分離電極７０を有している。ＭＹ粒子分離電極７０は、マゼンタ色電気泳動粒子６０Ｍがイエロー色粒子保持領域５６Ｙに進入するのを防止し、イエロー色電気泳動粒子６０Ｙがマゼンタ色粒子保持領域５６Ｍに進入するのを防止するために設けられている。ＭＹ粒子分離電極７０は基板５４上に形成されている。
【０１５７】
電気泳動表示装置５１は、画素５６に設けられ、イエロー色粒子保持領域５６Ｙと黒色粒子保持領域５６Ｋとの間に形成されたＹＫ粒子分離電極８２を有している。ＹＫ粒子分離電極８２は、イエロー色電気泳動粒子６０Ｙが黒色粒子保持領域５６Ｋに進入するのを防止し、黒色電気泳動粒子６０Ｋがイエロー色粒子保持領域５６Ｙに進入するのを防止するために設けられている。ＹＫ粒子分離電極８２は基板５４上に形成されている。
【０１５８】
シアン色粒子保持領域５６Ｃは、シアン色電気泳動粒子６０Ｃをシアン色粒子保持領域６Ｃ内に保持するとともに拡散するＣ副電極（色材保持拡散部）８６、８８を有している。Ｃ副電極８６、８８は、シアン色粒子保持領域５６Ｃ内の両端に形成されている。Ｃ副電極８６、８８は基板５４上に形成されている。Ｃ副電極８６はシアン色粒子集積電極６４に隣接して形成されている。Ｃ副電極８８はＣＭ粒子分離電極６６に隣接して形成されている。
【０１５９】
マゼンタ色粒子保持領域５６Ｍは、マゼンタ色電気泳動粒子６０Ｍをマゼンタ色粒子保持領域５６Ｍ内に保持するとともに拡散するＭ副電極（色材保持拡散部）７４、７６を有している。Ｍ副電極７４は、シアン色粒子保持領域５６Ｃに隣接して形成されている。Ｍ副電極７６はイエロー色粒子保持領域５６Ｙに隣接して形成されている。Ｍ副電極７４、７６は、マゼンタ色粒子保持領域５６Ｍ内の両端に形成されている。Ｍ副電極７４、７６は基板５４上に形成されている。Ｍ副電極７４は、ＣＭ粒子分離電極６６に隣接して形成されている。Ｍ副電極７６はＭＹ粒子分離電極７０に隣接して形成されている。
【０１６０】
イエロー色粒子保持領域５６Ｙは、イエロー色電気泳動粒子６０Ｙをイエロー色粒子保持領域５６Ｙ内に保持するとともに拡散するＹ副電極（色材保持拡散部）７８、８４を有している。Ｙ副電極７８はマゼンタ色粒子保持領域５６Ｍに隣接して形成されている。Ｙ副電極８４は黒色粒子保持領域５６Ｋに隣接して形成されている。Ｙ副電極７８、８４は、イエロー色粒子保持領域５６Ｙ内の両端に形成されている。Ｙ副電極７８、８４は基板５４上に形成されている。Ｙ副電極７８は、ＭＹ粒子分離電極７０に隣接して形成されている。Ｙ副電極８４はＹＫ粒子分離電極８２に隣接して形成されている。
【０１６１】
黒色粒子保持領域５６Ｋは、黒色電気泳動粒子６０Ｋを黒色粒子保持領域５６Ｋ内に保持するとともに拡散するＫ副電極（色材保持拡散部）９６、９８を有している。Ｋ副電極９６はイエロー色粒子保持領域５６Ｙに隣接して形成されている。Ｋ副電極９８は、画素５６の隣の画素の黒色粒子保持領域５６Ｋに隣接して形成されている。Ｋ副電極９６、９８は、黒色粒子保持領域５６Ｋ内の両端に形成されている。Ｋ副電極９６、９８は基板５４上に形成されている。Ｋ副電極９６は、ＹＫ粒子分離電極８２に隣接して形成されている。Ｋ副電極９８は黒色粒子集積電極７２に隣接して形成されている。
【０１６２】
画素５６は、Ｃ副電極８６に対向して配置され、基板５２上に形成された画素内粒子拡散電極９２を有している。画素５６は、Ｋ副電極９８に対向して配置され、基板５２上に形成された画素内粒子拡散電極９４を有している。画素内粒子拡散電極９２、９４は、シアン色電気泳動粒子６０Ｃ、マゼンタ色電気泳動粒子６０Ｍ、イエロー色電気泳動粒子６０Ｙ及び黒色電気泳動粒子６０Ｋのいずれかをシアン色、マゼンタ色、イエロー色及び黒色粒子保持領域５６Ｒ、５６Ｍ、５６Ｙ、５６Ｋに跨って画素５６全面に拡散するために形成されている。
【０１６３】
画素５６は、シアン色粒子集積電極６４に対向して配置され、基板５２上に形成された画素内粒子保持電極８０を有している。画素５６は、黒色粒子集積電極７２に対向して配置され、基板５２上に形成された画素内粒子保持電極９０を有している。画素内粒子保持電極８０、９０は、シアン色、マゼンタ色、イエロー色及び黒色粒子保持領域５６Ｒ、５６Ｍ、５６Ｙ、５６Ｋに跨って画素５６全面に拡散されたシアン色電気泳動粒子６０Ｃ、マゼンタ色電気泳動粒子６０Ｍ、イエロー色電気泳動粒子６０Ｙ及び黒色電気泳動粒子６０Ｋのいずれかを拡散した状態で保持するために形成されている。画素内粒子保持電極８０は画素内粒子拡散電極９２に隣接して配置され、画素内粒子保持電極９０は画素内粒子拡散電極９４に隣接して配置されている。
【０１６４】
各電極６４〜９４は、実質的に導電性を有していれば種々の材料で形成することができる。各電極６４〜９４は、例えばインジウム錫酸化物（ＩＴＯ）で形成されている。
【０１６５】
電気泳動表示装置５１は、画素５６に隣接して設けられ、黒色粒子集積電極７２に対して画素５６と対称構造を備えた画素（第２画素）を有している。図２７には、当該画素に備えられた黒色粒子保持領域５６Ｋのみが図示されている。当該画素は、図２７に示す黒色粒子保持領域５６Ｋの隣にイエロー色粒子保持領域が配置され、当該イエロー色粒子保持領域の隣に配置されたマゼンタ色粒子保持領域と、当該マゼンタ色粒子保持領域の隣に配置されたシアン色粒子保持領域とを有している。当該画素に備えられた黒色粒子保持領域５６Ｋは黒色粒子集積電極７２に対して、画素５６に備えられた黒色粒子保持領域５６Ｋと対称構造を有している。当該画素に備えられたイエロー色粒子保持領域は黒色粒子集積電極７２に対して、画素５６に備えられたイエロー色粒子保持領域５６Ｙと対称構造を有している。当該画素に備えられたマゼンタ色粒子保持領域は黒色粒子集積電極７２に対して、画素５６に備えられたマゼンタ色粒子保持領域５６Ｍと対称構造を有している。当該画素に備えられたシアン色粒子保持領域は黒色粒子集積電極７２に対して、画素５６に備えられたシアン色粒子保持領域５６Ｒと対称構造を有している。
【０１６６】
電気泳動表示装置５１は、画素５６に隣接して設けられ、シアン色粒子集積電極６４に対して画素５６と対称構造を備えた画素（第２画素）を有している。図２７には、当該画素に備えられたシアン色粒子保持領域５６Ｃのみが図示されている。当該画素は、図２７に示すシアン色粒子保持領域５６Ｃの隣に配置されたマゼンタ色粒子保持領域と、当該マゼンタ色粒子保持領域の隣に配置されたイエロー色粒子保持領域と、当該イエロー色粒子保持領域の隣に配置された黒色粒子保持領域とを有している。当該画素に備えられたシアン色粒子保持領域５６Ｃはシアン色粒子集積電極６４に対して、画素５６に備えられたシアン色粒子保持領域５６Ｃと対称構造を有している。当該画素に備えられたマゼンタ色粒子保持領域はシアン色粒子集積電極６４に対して、画素５６に備えられたマゼンタ色粒子保持領域５６Ｍと対称構造を有している。当該画素に備えられたイエロー色粒子保持領域はシアン色粒子集積電極６４に対して、画素５６に備えられたイエロー色粒子保持領域５６Ｙと対称構造を有している。当該画素に備えられた黒色粒子保持領域はシアン色粒子集積電極６４に対して、画素５６に備えられた黒色粒子保持領域５６Ｋと対称構造を有している。
【０１６７】
電気泳動表示装置５１は、隣り合う画素が互いに対称構造となるように配置されている。したがって、シアン色粒子保持領域５６Ｃ、マゼンタ色粒子保持領域５６Ｍ、イエロー色粒子保持領域５６Ｙ及び黒色粒子保持領域５６Ｋは、「・・・ＣＭＹＫＫＹＭＣＣＭＹＫＫＹＭＣ・・・」の順に一直線上に並んで配置される。詳細な説明は省略するが、電気泳動表示装置５１は、隣り合う画素が互いに対称構造となるようにシアン色粒子保持領域５６Ｃ、マゼンタ色粒子保持領域５６Ｍ、イエロー色粒子保持領域５６Ｙ及び黒色粒子保持領域５６Ｋが行方向に並んで配置され、同一色の粒子を保持する保持領域が列方向に並んで配置される。これにより、電気泳動表示装置５１は、複数の画素がマトリクス状に配置されるとともに、複数のシアン色粒子保持領域５６Ｃ、マゼンタ色粒子保持領域５６Ｍ、イエロー色粒子保持領域５６Ｙ及び黒色粒子保持領域５６Ｋもマトリクス状に配置される。
【０１６８】
次に、本実施の形態による電気泳動表示装置５１の駆動方法について図２７及び図２８を用いて簡述する。本実施の形態による電気泳動表示装置５１の駆動方法は、上記第２の実施の形態による電気泳動表示装置５とほぼ同様である。
【０１６９】
本実施の形態による電気泳動表示装置５１の駆動方法は、上記第２の実施の形態による電気泳動表示装置５の駆動方法と同様に、画素５６内に第１の電界を発生させて、シアン色電気泳動粒子６０Ｃ、マゼンタ色電気泳動粒子６０Ｍ、イエロー色電気泳動粒子６０Ｙ及び黒色電気泳動粒子６０Ｋを所定の領域（例えばシアン色粒子集積電極６４近傍）に集積する電気泳動粒子集積工程と、画素５６内に第２の電界を発生させて、シアン色電気泳動粒子６０Ｃ、マゼンタ色電気泳動粒子６０Ｍ、イエロー色電気泳動粒子６０Ｙ及び黒色電気泳動粒子６０Ｋを画素５６内のシアン色粒子保持領域５６Ｃ、マゼンタ色粒子保持領域５６Ｍ、イエロー色粒子保持領域５６Ｙ及び黒色粒子保持領域５６Ｋにそれぞれ分散する電気泳動粒子分散工程と、画素５６内に第３の電界を発生させて、シアン色電気泳動粒子６０Ｃ、マゼンタ色電気泳動粒子６０Ｍ、イエロー色電気泳動粒子６０Ｙ及び黒色電気泳動粒子６０Ｋを画素５６内の異なる領域（例えば、シアン色粒子保持領域５６Ｃ、マゼンタ色粒子保持領域５６Ｍ、イエロー色粒子保持領域５６Ｙ及び黒色粒子保持領域５６Ｋ）に分離する電気泳動粒子分離工程と、画素５６内に第４の電界を発生させて、シアン色電気泳動粒子６０Ｃ、マゼンタ色電気泳動粒子６０Ｍ、イエロー色電気泳動粒子６０Ｙ及び黒色電気泳動粒子６０Ｋを当該異なる領域に保持する電気泳動粒子保持工程と、画素５６内に電界の向きが反転する第５の電界を発生させて、当該異なる領域内でシアン色電気泳動粒子６０Ｃ、マゼンタ色電気泳動粒子６０Ｍ、イエロー色電気泳動粒子６０Ｙ及び黒色電気泳動粒子６０Ｋをそれぞれ拡散する電気泳動粒子拡散工程とを有している。
【０１７０】
上記の各工程において、シアン色粒子集積電極６４には、上記第２の実施の形態による電気泳動表示装置５の赤色粒子集積電極１４と同様の電圧を印加し、黒色粒子集積電極７２には、電気泳動表示装置５の緑色粒子集積電極２２と同様の電圧を印加し、Ｃ副電極８６、８８、Ｍ副電極７４、７６、Ｙ副電極７８、８４及びＫ副電極９６、９８には、例えば電気泳動表示装置５のＢ副電極２４、２６と同様の電圧を印加し、ＣＭ粒子分離電極６６、ＭＹ粒子分離電極７０及びＹＫ粒子分離電極８２には、例えば電気泳動表示装置５のＢＧ粒子分離電極２０と同様の電圧を印加する。これにより、シアン色粒子保持領域５６Ｃ、マゼンタ色粒子保持領域５６Ｍ、イエロー色粒子保持領域５６Ｙ及び黒色粒子保持領域５６Ｋには、シアン色電気泳動粒子６０Ｃ、マゼンタ色電気泳動粒子６０Ｍ、イエロー色電気泳動粒子６０Ｙ及び黒色電気泳動粒子６０Ｋがそれぞれ均一に拡散する。シアン色電気泳動粒子６０Ｃ、マゼンタ色電気泳動粒子６０Ｍ、イエロー色電気泳動粒子６０Ｙ及び黒色電気泳動粒子６０Ｋが全画素のシアン色粒子保持領域５６Ｃ、マゼンタ色粒子保持領域５６Ｍ、イエロー色粒子保持領域５６Ｙ及び黒色粒子保持領域５６Ｋにそれぞれ拡散すると、電気泳動表示装置５１の表示画面は黒色表示となる。
【０１７１】
また、画素内粒子拡散電極９２に例えばシアン色電気泳動粒子６０Ｃを集積し、次いで画素内粒子拡散電極９２、９４間に図８に示す極性反転する電圧パルスを印加することにより、図２８に示すように、シアン色電気泳動粒子６０Ｃは、シアン色粒子保持領域５６Ｃ、マゼンタ色粒子保持領域５６Ｍ、イエロー色粒子保持領域５６Ｙ及び黒色粒子保持領域５６Ｋに跨って画素５６内の基板５２側でほぼ均一に拡散する。その後、シアン色電気泳動粒子６０Ｃの拡散状態を保持できる電圧を画素内粒子保持電極８０、９０に印加する。電気泳動表示装置５１は基板５２側が表示画面である。このため、図２８に示すように、シアン色電気泳動粒子６０Ｃが画素５６内の基板５２の面内方向に均一に拡散して保持されると、画素５６はシアン色の表示状態となる。
【０１７２】
以上説明したように、本実施の形態による電気泳動表示装置５１は、シアン色電気泳動粒子６０Ｃと、黒色電気泳動粒子６０Ｋと、シアン色電気泳動粒子６０Ｃを保持するシアン色粒子保持領域５６Ｃと、黒色電気泳動粒子６０Ｋを保持する黒色粒子保持領域５６Ｋと、シアン色粒子保持領域５６Ｃ及び黒色粒子保持領域５６Ｋとを備えた画素５６と、画素５６の両側に設けられ、シアン色電気泳動粒子６０Ｃを集積するシアン色粒子集積電極６４及び黒色電気泳動粒子６０Ｋを集積する黒色粒子集積電極７２と、画素５６の両側の少なくとも一方に隣接して設けられ、黒色粒子保持領域５６Ｋに対して画素５６と対称構造を備えた画素とを有している。
【０１７３】
さらに、電気泳動表示装置５１は、シアン色電気泳動粒子６０Ｃを保持するとともに拡散するＣ副電極８６、８８をシアン色粒子保持領域５６Ｃに有し、黒色電気泳動粒子６０Ｋを保持するとともに拡散するＫ副電極９６、９８を黒色粒子保持領域５６Ｋに有している。
【０１７４】
これにより、電気泳動表示装置５１は、上記第１及び第２の実施の形態による電気泳動表所装置１、５で得られる効果以上の高いコントラストを可能とし、表示特性の更なる向上を図ることができる。
【０１７５】
なお、上記詳細な説明で説明した事項は組み合わせることが可能である。
【符号の説明】
【０１７６】
１、３、５、５１  電気泳動表示装置
２、４、５２、５４  基板
６、３２、５６  画素
８、５８  液相分散媒
１２、６２  封止壁
１３  固定層
１４  赤色粒子集積電極
１５  拡散層
１６  ＲＢ粒子分離電極
１８  幹部
２０  ＢＧ粒子分離電極
２２  緑色粒子集積電極
２４、２６  Ｂ副電極
２８、３０  Ｇ副電極
３４  赤色粒子集積補助電極
３６、３８  Ｒ副電極
６４  シアン色粒子集積電極
６６  ＣＭ粒子分離電極
７０  ＭＹ粒子分離電極
７２  黒色粒子集積電極
７４、７６  Ｍ副電極
７８、８４  Ｙ副電極
８０、９０  画素内粒子保持電極
８２  ＹＫ粒子分離電極
８６、８８  Ｃ副電極
９２、９４  画素内粒子拡散電極
９６、９８  Ｋ副電極
６Ｂ  青色粒子保持領域
６Ｇ  緑色粒子保持領域
６Ｒ  赤色粒子保持領域
１０Ｂ  青色電気泳動粒子
１０Ｇ  緑色電気泳動粒子
１０Ｒ  赤色電気泳動粒子
２２ａ  幹部
２２ｂ  枝部
５６Ｃ  シアン色粒子保持領域
５６Ｋ  黒色粒子保持領域
５６Ｍ  マゼンタ色粒子保持領域
５６Ｙ  イエロー色粒子保持領域
６０Ｃ  シアン色電気泳動粒子
６０Ｋ  黒色電気泳動粒子
６０Ｍ  マゼンタ色電気泳動粒子
６０Ｙ  イエロー色電気泳動粒子
【図１】
2013142722.tif 000003
【図２】
2013142722.tif 000004
【図３】
2013142722.tif 000005
【図４】
2013142722.tif 000006
【図５】
2013142722.tif 000007
【図６】
2013142722.tif 000008
【図７】
2013142722.tif 000009
【図８】
2013142722.tif 000010
【図９】
2013142722.tif 000011
【図１０】
2013142722.tif 000012
【図１１】
2013142722.tif 000013
【図１２】
2013142722.tif 000014
【図１３】
2013142722.tif 000015
【図１４】
2013142722.tif 000016
【図１５】
2013142722.tif 000017
【図１６】
2013142722.tif 000018
【図１７】
2013142722.tif 000019
【図１８】
2013142722.tif 000020
【図１９】
2013142722.tif 000021
【図２０】
2013142722.tif 000022
【図２１】
2013142722.tif 000023
【図２２】
2013142722.tif 000024
【図２３】
2013142722.tif 000025
【図２４】
2013142722.tif 000026
【図２５】
2013142722.tif 000027
【図２６】
2013142722.tif 000028
【図２７】
2013142722.tif 000029
【図２８】
2013142722.tif 000030